(57)【要約】  監視ユニット(7)がデバイス(1a)に対して取り付けられているので、インラインで搬送されるデバイス(1)の検査および/または試験が遂行される。監視ユニット(7)は取外し領域(11a)において取り外される。期間(TAppl.)中に、デバイス(1)に対して監視ユニット(7)が取り付けられ、監視ユニット(7)はスタンドアロンの動作モード(SA)で動作する。期間(TCOL)中に、監視ユニット(7)において、監視ユニット(7)が取り付けられているデバイス(1a)に関する情報が収集される。この収集期間(TCOL)は、監視ユニットがスタンドアロンのモードで動作する期間(TSA)の少なくとも一部分を含む。
2016517954.tif 000002
【特許請求の範囲】
【請求項１】
デバイスのインラインの検査および/または試験のための方法であって、
・前記デバイスのうちの1つに対して、またはその上に、取外し可能に取り付けることができ、前記デバイスからの情報および/または前記デバイスによってもたらされる情報をスタンドアロンの動作モードで収集することができる少なくとも1つの監視ユニットを用意するステップと、
・デバイスを、取付け領域へとインラインで搬送するステップと、
・インラインで前記取付け領域へと搬送された前記デバイスからの1つのデバイスに対して、または該デバイスの上に、前記取付け領域において前記監視ユニットを取り付けるステップと、
・前記監視ユニットによって、前記監視ユニットが取り付けられた前記デバイスからの情報または前記デバイスによってもたらされる情報を収集するステップと、
・取外し領域において前記デバイスから前記監視ユニットを取り外して、前記取り外された監視ユニットを前記取付け領域に戻すステップと、
・前記監視ユニットにおいて収集された情報に依拠する情報を、前記取付け領域への前記デバイスの前記インラインの搬送に対して静止している遠隔ユニットに伝送するステップと、
・収集された情報に依拠する情報を評価するステップと、を含み、
・前記収集が収集期間中に遂行され、
・前記監視ユニットが、スタンドアロンの期間を通じてスタンドアロンの動作モードで動作し、
・取付け期間中に、前記監視ユニットが、前記デバイスに対して、または前記デバイスの上に取り付けられ、
・前記スタンドアロンの期間が、前記取付け期間の少なくとも一部分を含み、
・前記収集期間が、前記取付け期間の前記一部分の少なくとも一部分を含む、方法。
【請求項２】
前記デバイスに対して、または前記デバイスの上に前記監視ユニットを取り付けたものが、前記取付け領域から前記取外し領域へとインラインで搬送される、請求項1に記載の方法。
【請求項３】
前記取付け領域および前記取外し領域が、少なくとも実質的に同一の位置に設けられ、または互いに遠隔である、請求項1または2に記載の方法。
【請求項４】
前記取付け領域および前記取外し領域が、実質的に同一の位置に設けられ、前記デバイスに対して、または前記デバイスの上に前記監視ユニットを取り付けたものが、少なくとも前記取付け期間を通じて静止状態に保たれる、請求項1に記載の方法。
【請求項５】
前記デバイスに対して、または前記デバイスの上に前記監視ユニットを取り付けたものが、前記取付け領域から前記取外し領域への前記搬送の期間を通じて静止状態に保たれる、請求項2または3に記載の方法。
【請求項６】
前記収集期間が、前記取付け期間の前に、前記取付け期間と一緒に、または前記取付け期間の後に始まる、請求項1から5のいずれか一項に記載の方法。
【請求項７】
前記収集期間が、前記スタンドアロンの期間の前に、前記スタンドアロンの期間と一緒に、または前記スタンドアロンの期間の後に始まる、請求項1から6のいずれか一項に記載の方法。
【請求項８】
前記監視ユニットの前記スタンドアロンの期間が、前記取付け期間および前記監視ユニットが前記取外し領域から前記取付け領域へ運ばれている間、継続する、請求項1から7のいずれか一項に記載の方法。
【請求項９】
前記スタンドアロンの期間が、遅くとも前記取付け期間と一緒に始まる、請求項1から7のいずれか一項に記載の方法。
【請求項１０】
前記収集期間が、前記取付け期間の前に、前記取付け期間と一緒に、または前記取付け期間の後に終了する、請求項1から9のいずれか一項に記載の方法。
【請求項１１】
前記収集期間が、前記スタンドアロンの期間の前に、前記スタンドアロンの期間と一緒に、または前記スタンドアロンの期間の終了後に終了する、請求項1から7、9または10のいずれか一項に記載の方法。
【請求項１２】
前記スタンドアロンの期間が、前記伝送の前または後に終了する、請求項1から7、9から11のいずれか一項に記載の方法。
【請求項１３】
前記伝送が、前記取付け期間の終了の前に、前記取付け期間の終了と一緒に、または前記取付け期間の終了後に遂行される、請求項1から12のいずれか一項に記載の方法。
【請求項１４】
前記収集される情報が、ガス圧、ガス圧の過程、ガス中のガス種の量、そのような量の過程、温度、温度の過程、可視光および/または不可視光のスペクトルの光学的特性、そのような光学的特性の過程、照射に対する反応、そのような反応の過程、電気的インピーダンス、そのようなインピーダンスの過程、力、そのような力の過程のうち少なくとも1つである、請求項1から13のいずれか一項に記載の方法。
【請求項１５】
前記収集される情報が、前記デバイスを取り巻くガスの、所定のガス種の量を含み、前記収集するステップが、前記デバイスを取り巻く前記ガスのサンプルを、前記監視ユニットのサンプルコンパートメントの中に収集して保持するステップを含み、評価するステップがガス分析を含み、前記伝送するステップが、前記コンパートメントから前記遠隔ユニットへのガス流れ連絡を確立するステップを含む、請求項1から14のいずれか一項に記載の方法。
【請求項１６】
前記収集される情報がガス圧またはガス圧の過程を含み、前記収集するステップが、前記監視ユニットによって前記デバイスまたはその近傍に取り付けられた圧力センサ機構で圧力情報を収集するステップを含む、請求項1から15のいずれか一項に記載の方法。
【請求項１７】
前記デバイスが閉じた容器であり、前記監視ユニットを取り付けると、前記閉じた容器と前記監視ユニットの間に密閉された隙間が生じ、前記圧力センサ機構が前記隙間の圧力を感知する、請求項16に記載の方法。
【請求項１８】
前記スタンドアロンの期間の前および前記スタンドアロンの期間中のうち少なくとも1つにおいて、前記隙間の圧力を、前記閉じた容器の支配的圧力よりも高くするかまたは低くするステップをさらに含む、請求項17に記載の方法。
【請求項１９】
前記デバイスが開いた容器であって、前記監視ユニットを取り付けると、前記圧力センサ機構が、前記開いた容器の内部に対して、密閉した流れ連絡で密閉して取り付けられて、一旦、前記密閉された流れ連絡が確立されると、前記容器の内部と前記容器の周囲の間に圧力差が確立される、請求項16に記載の方法。
【請求項２０】
前記監視ユニットが、前記監視ユニットの電源によって、少なくとも前記スタンドアロンの期間中に給電される、請求項1から19のいずれか一項に記載の方法。
【請求項２１】
前記電源が、前記スタンドアロンの期間の前、前記スタンドアロンの期間中、および前記スタンドアロンの期間の後のうち少なくとも1つにおいて、ワイヤレスで少なくとも1回充電される、請求項20に記載の方法。
【請求項２２】
少なくとも1つの離散的時間間隔において前記収集を遂行するステップと、前記収集された情報に依拠する前記情報を、前記時間間隔中に伝送するステップとをさらに含む、請求項1から21のいずれか一項に記載の方法。
【請求項２３】
複数の離散的時間間隔において前記収集を遂行して、それぞれの時間間隔中に前記伝送を遂行するステップを含む、請求項22に記載の方法。
【請求項２４】
前記時間間隔のうち少なくとも1つが前記スタンドアロンの期間中に存在する、請求項22または23に記載の方法。
【請求項２５】
前記収集された情報に依拠する情報が、少なくとも前記伝送するステップまでは前記監視ユニットに保持される、請求項1から24のいずれか一項に記載の方法。
【請求項２６】
前記収集された情報に依拠する情報が前記監視ユニットにおいて評価され、前記伝送される情報が前記評価の結果を含む、請求項1から25のいずれか一項に記載の方法。
【請求項２７】
収集された情報に依拠する情報が、前記監視ユニットの電子データ記憶装置に保持される、請求項1から26のいずれか一項に記載の方法。
【請求項２８】
前記伝送するステップが、前記監視ユニットからワイヤレスで遂行される、請求項1から27のいずれか一項に記載の方法。
【請求項２９】
前記監視ユニットが複数用意され、好ましくは、後に、前記取付け領域へとインラインで搬送された後続の前記デバイスに取り付けられる、請求項1から28のいずれか一項に記載の方法。
【請求項３０】
前記監視ユニットが複数用意され、好ましくは、後に、前記取付け領域へとインラインで搬送されたすべての後続の前記デバイスに対して取り付けられる、請求項1から29のいずれか一項に記載の方法。
【請求項３１】
収集された情報に依拠する情報が評価され、前記評価の結果が、前記監視ユニットの記憶装置に記憶され、前記記憶された結果が前記監視ユニットから読み取られ、選択ユニットが、前記それぞれのデバイスのさらなる処理を選択するように読み取り結果によって制御される、請求項1から30のいずれか一項に記載の方法。
【請求項３２】
前記デバイスが、前記取付け領域から前記取外し領域へとインラインで搬送され、前記搬送するステップが、前記デバイスを、少なくとも1つのベルトコンベヤによってインラインで搬送するステップを含む、請求項1から31のいずれか一項に記載の方法。
【請求項３３】
検査および/または試験に合格したデバイスを生産する方法であって、未検査および/または未試験のデバイスを用意するステップと、前記未検査および/または未試験のデバイスを、請求項1から32のいずれか一項に記載の方法によってインラインで検査し、かつ/または試験するステップと、デバイスに割り当てられた肯定的な検査および/または試験の結果を示す評価結果が、そのようなデバイスが前記検査および/または試験に合格したことを証明するステップとを含む、方法。
【請求項３４】
デバイスをインラインで検査し、かつ/または試験する装置であって、
・前記デバイスのうちの1つに対して、またはその上に、取外し可能に取り付けられ、前記デバイスからの情報および/または前記デバイスによってもたらされる情報をスタンドアロンの動作モードで収集するように適合された少なくとも1つの監視ユニットであって、スタンドアロンの期間を通じてスタンドアロンの動作モードになっている監視ユニットと、
・前記デバイスのうち1つに対して、またはその上に、前記監視ユニットを取り付けるように適合された取付けユニットと、
・取付け期間の後に、前記デバイスから前記監視ユニットを取り外すように適合された取外しユニットであって、前記監視ユニットが、前記デバイスに対して、またはその上に取り付けられたとき起動される取外しユニットと、
・前記デバイスを、前記取付けユニットへとインラインで搬送して、これと位置合わせするように適合されたコンベヤと、
・前記監視ユニットを前記取外しユニットから前記取付けユニットへ運ぶように適合された機構と、
・前記コンベヤに対して静止している受信ユニットであって、監視ユニットにおいて収集された情報に依拠する情報を受信するように適合された受信ユニットと、
・前記コンベヤに対して静止している遠隔ユニットであって、前記受信ユニットの出力に対して運転可能に接続された入力を有する遠隔ユニットと、
・収集期間中に前記情報を収集するために前記監視ユニットを制御するように適合された制御手段と、を備え、
・前記スタンドアロンの期間が、前記取付け期間の少なくとも一部分を含み、
・前記収集期間が、前記制御手段によって、前記取付け期間の前記一部分の少なくとも一部を含むように制御される、装置。
【請求項３５】
前記デバイスに対して、または前記デバイスの上に前記監視ユニットを取り付けたものを、前記取付けユニットから前記取外しユニットへとインラインで搬送して、これと位置合わせするように適合されているコンベヤを備える、請求項34に記載の装置。
【請求項３６】
前記取付けユニットと前記取外しユニットが、少なくとも実質的に同一の位置に、または互いに遠隔に設けられている、請求項34または35に記載の装置。
【請求項３７】
前記取付けユニットと前記取外しユニットが同一の位置に設けられ、前記位置に少なくとも1つのデバイスのための据置き型の支持機構を備える、請求項34に記載の装置。
【請求項３８】
前記取付けユニットから前記取外しユニットへの搬送経路に沿って、少なくとも1つのデバイスのための据置き型の支持機構を備える、請求項35または36に記載の装置。
【請求項３９】
前記収集期間が、前記取付け期間の開始前に、開始とともに、または開始後に始まるように前記制御手段によって制御される、請求項34から38のいずれか一項に記載の装置。
【請求項４０】
前記収集期間が、前記スタンドアロンの期間の開始前に、開始とともに、または開始後に始まるように前記制御手段によって制御される、請求項34から39のいずれか一項に記載の装置。
【請求項４１】
前記監視ユニットが、前記取付けユニットから前記取外しユニットへ、また前記取付けユニットへとループする間、スタンドアロンの動作モードで継続的に動作する、請求項34から40のいずれか一項に記載の装置。
【請求項４２】
前記監視ユニットが、遅くとも前記取付け期間の開始とともにスタンドアロンの動作モードになっている、請求項34から41のいずれか一項に記載の装置。
【請求項４３】
前記制御手段が、前記取外しユニットが前記デバイスから前記監視ユニットを取り外す前に、取り外すとともに、または取り外した後に、前記収集期間を終了するように制御する、請求項34から42のいずれか一項に記載の装置。
【請求項４４】
前記収集期間が、前記スタンドアロンの期間の終了前に、終了とともに、または終了後に終了するように前記制御手段によって制御される、請求項34から40、42または43のいずれか一項に記載の装置。
【請求項４５】
前記スタンドアロンの期間が、前記受信ユニットによる前記情報の受信の前に、またはその後に終了する、請求項34から40、42から44のいずれか一項に記載の装置。
【請求項４６】
前記監視ユニットが、ガス圧、ガス圧の過程、ガス中のガス種の量、そのような量の過程、温度、温度の過程、可視光および/または不可視光のスペクトルの光学的特性、そのような光学的特性の過程、照射に対する反応、そのような反応の過程、電気的インピーダンス、そのようなインピーダンスの過程、力、そのような力の過程のうち少なくとも1つを表す情報を収集して保持するように適合された手段を備える、請求項34から45のいずれか一項に記載の装置。
【請求項４７】
前記監視ユニットが、前記デバイスを取り巻くガスにおける所定のガス種の量を表す情報を収集して保持するように適合された手段を備え、前記手段が、前記監視ユニットの中にサンプルコンパートメントを備える前記監視ユニットの中に前記情報を収集して保持するように適合されており、前記遠隔ユニットがガス分析用に適合されており、前記受信ユニットが、前記サンプルコンパートメントに対して制御可能に接続されるように適合された入力ガスフローラインを備える、請求項34から46のいずれか一項に記載の装置。
【請求項４８】
前記監視ユニットがガス圧力センサ機構を備える、請求項34から47のいずれか一項に記載の装置。
【請求項４９】
前記デバイスが閉じた容器であり、前記監視ユニットが、前記デバイスの上に取り付けられて、前記デバイスとともに、前記閉じた容器と前記監視ユニットの間に密閉された隙間を画定するよう適合されており、前記圧力センサ機構が前記隙間に対して動作可能に接続されている、請求項48に記載の装置。
【請求項５０】
前記隙間の圧力を、前記スタンドアロンの期間の前および前記スタンドアロンの期間中のうちの1つで、前記閉じた容器の中の支配的な圧力よりも高くするかまたは低くするように適合された手段をさらに備える、請求項49に記載の装置。
【請求項５１】
前記デバイスが開いた容器であって、前記監視ユニットが、前記圧力センサ機構を、前記開いた容器の内部に対する密閉した流れ連絡で、密閉して取り付けるように適合されており、前記容器の内部と前記容器の周囲の間に圧力差を確立するように適合された手段をさらに備える、請求項48に記載の装置。
【請求項５２】
前記監視ユニットが、少なくとも前記スタンドアロンの期間中に前記監視ユニットに給電するように適合されている電源ユニットを備える、請求項34から51のいずれか一項に記載の装置。
【請求項５３】
前記電源ユニットがワイヤレスで充電可能である、請求項52に記載の装置。
【請求項５４】
前記制御手段が、前記監視ユニットを制御して、前記監視ユニットが前記受信ユニットに隣接したとき前記情報を収集させるように適合されている、請求項34から53のいずれか一項に記載の装置。
【請求項５５】
前記監視ユニットの経路に沿った別個の位置に前記受信ユニットを複数備える装置であって、前記制御手段が、前記監視ユニットを制御して、前記監視ユニットが前記受信ユニットのそれぞれに隣接したとき前記情報を収集させるように適合されている、請求項54に記載の装置。
【請求項５６】
前記監視ユニットが、前記収集期間のうち少なくとも1つの期間中はスタンドアロンのモードになっている、請求項54または55に記載の装置。
【請求項５７】
前記監視ユニットが、収集された情報に依拠する情報を保持するための手段を備える、請求項34から56のいずれか一項に記載の装置。
【請求項５８】
前記監視ユニットおよび前記遠隔ユニットのうち少なくとも1つにおいて評価ユニットを備える装置であって、前記評価ユニットが、前記監視ユニットの収集手段に対して運転可能に接続されているかまたは接続可能である、請求項34から57のいずれか一項に記載の装置。
【請求項５９】
前記監視ユニットが、収集された情報に依拠する情報を保持するための電子データ記憶装置を備える、請求項34から58のいずれか一項に記載の装置。
【請求項６０】
前記監視ユニットがワイヤレス送信ユニットを備え、前記受信ユニットがワイヤレス受信ユニットを備える、請求項34から59のいずれか一項に記載の装置。
【請求項６１】
前記ワイヤレス送信ユニットの入力が、前記監視ユニットの電子データ記憶装置の出力に対して運転可能に接続されている、請求項60に記載の装置。
【請求項６２】
前記監視ユニットを複数備える装置であって、前記取付けユニットが、好ましくは、前記デバイスの後続のものが前記取付けユニットとの位置合わせの場所へとインラインで搬送された後に監視ユニットを取り付けるように適合されており、前記取外しユニットが、好ましくは、後に、前記デバイスから監視ユニットを取り外すように適合されている、請求項34から61のいずれか一項に記載の装置。
【請求項６３】
前記監視ユニットを複数備える装置であって、前記取付けユニットが、好ましくは、前記デバイスの後続のものすべてが前記取付けユニットとの位置合わせの場所へとインラインで搬送された後に監視ユニットを取り付けるように適合されており、前記取外しユニットが、好ましくは、後に、前記デバイスのそれぞれから監視ユニットを取り外すように適合されている、請求項34から62のいずれか一項に記載の装置。
【請求項６４】
評価ユニットを備える装置であって、前記評価ユニットの出力が、前記監視ユニットのリセット可能な記憶装置に対して運転可能に接続可能である、請求項34から63のいずれか一項に記載の装置。
【請求項６５】
前記監視ユニットをそれに対してまたはその上に取り付けたデバイスを含む前記デバイスを、前記取付けユニットから前記取外しユニットへとインラインで搬送して、これと位置合わせするように適合されているコンベヤを備えて、前記コンベヤが少なくとも1つのベルトコンベヤを備える、請求項34から64のいずれか一項に記載の装置。
【発明の詳細な説明】
【技術分野】
【０００１】
本発明は、デバイスをインラインで検査し、かつ/またはインラインで試験する方法を対象とするものである。
【背景技術】
【０００２】
デバイスをインラインで検査し、かつ/または試験する通常の方法は、試験されるデバイスをインラインで搬送するステップを含む。搬送経路に沿って、デバイスのタイプならびに遂行される検査および/または試験のタイプに依拠して、それぞれのデバイスに対して、またはそれぞれのデバイスの上に、それぞれの監視ユニットが取り付けられる。そのような監視ユニットが包括的に備える情報収集ユニットは、検査および/または試験の下で、デバイスからの情報またはデバイスによってもたらされる情報を収集する。情報収集ユニットは、それによって、例としてたとえば1つまたは複数の圧力センサ、温度センサ、画像センサ、ガス種センサ、力センサなどのそれぞれのセンサを備えてよい。収集された情報は、通常、この装置の据置き型コンピュータのような評価ユニットに伝送される。1つまたは複数の監視ユニットがデバイスとともに搬送され、この装置に対して結線され、ある領域まで搬送されるとそれぞれのデバイスから取り外され、搬送して戻され、デバイスのインラインの流れの後続デバイスに対して再び取り付けられる。
【０００３】
デバイスからの情報またはデバイスによってもたらされる情報を収集するのに利用可能な期間は、デバイスのインラインの流れの所与のスループット率において、搬送経路の、監視ユニットのデバイスへの取付けとデバイスからの取外しの間の範囲に左右される。インラインの検査および/または試験のスループット率はできる限り高めるべきであり、また、正確な結果を得るように、デバイスのそれぞれの検査および/または試験には、情報収集にそれぞれの所定の期間が必要であるため、それぞれの装置と、特に、デバイスに対する監視ユニットの取付け領域と取外し領域の間のこの装置の部分が、監視ユニットがデバイスとともに搬送されて評価ユニットに接続される経路のために、ますます場所をとる複雑なものになっている。
【０００４】
その上、特定の検査および/または試験を遂行すると考えられるそれぞれの装置は、デバイスに監視ユニットを取り付ける前述の領域と、デバイスから監視ユニットを取り外す前述の領域の間の特定用途向けの搬送経路を伴って構成される。
【発明の概要】
【発明が解決しようとする課題】
【０００５】
本発明の目的は、その装置ならびにその方法の態様の下で、従来技術の方法および装置を改善することである。
【課題を解決するための手段】
【０００６】
これを達成する、デバイスのインラインの検査および/または試験の方法は、
・前記デバイスのうちの1つに対して、またはその上に、取外し可能に取り付けることができ、そのようなデバイスからの情報および/またはそのようなデバイスによってもたらされる情報をスタンドアロンの動作モードで収集することができる少なくとも1つの監視ユニットを用意するステップと、
・デバイスを、取付け領域へとインラインで搬送するステップと、
・インラインで取付け領域へと搬送されたデバイスからの1つのデバイスに対して、またはそのデバイスの上に、取付け領域において監視ユニットを取り付けるステップと、
・監視ユニットによって、監視ユニットが取り付けられたデバイスからの情報またはデバイスによってもたらされる情報を収集するステップと、
・取外し領域においてデバイスから監視ユニットを取り外して、取り外した監視ユニットを取付け領域に搬送するステップと、
・監視ユニットにおいて収集された情報に依拠する情報を、前記取付け領域へのデバイスのインラインの搬送に対して静止している遠隔ユニットに伝送するステップと、
・収集された情報に依拠する情報を評価するステップとを含み、
・前述の収集が収集期間中に遂行され、
・監視ユニットは、スタンドアロンの期間を通じてスタンドアロンの動作モードで動作し、
・取付け期間中に、監視ユニットが、デバイスに対して、またはデバイスの上に取り付けられ、
・スタンドアロンの期間が、取付け期間の少なくとも一部分を含み、
・収集期間が、前述の取付け期間の少なくとも一部分を含むものである。
【０００７】
定義
本記述および特許請求の範囲を通じて、「スタンドアロンの」動作モードは、監視ユニットとこの装置の他の部分との間の、ワイヤ接続による、またはより包括的には固体材料の接続によるエネルギー伝達が行われない、監視ユニットの動作モードと理解される。例として、前述の「スタンドアロンの」動作モードでは、ケーブル接続による監視ユニットへの電源供給はなく、たとえば監視ユニットを制御するため、またはこの装置の他の部分に対して監視ユニットの状態を報告するために、有線のリンクからの電気信号が監視ユニットに対して働くこともない。さらに、監視ユニットに収集された情報および/またはそのような収集された情報に依拠する情報は、有線接続によってこの装置の別の部分に転送されることがなくてよく、監視ユニットに対して機械的に「接続された」熱交換部材によって、監視ユニットの冷却または加熱が遂行されることもなくてよい。したがって、このスタンドアロンの動作モードでは、監視ユニットには、いかなる固体のエネルギー伝送リンクもない。本記述および特許請求の範囲を通じて、「結線」という用語は、「スタンドアロン」とは反対の状態を述べることに注意されたいこの状態では、監視ユニットは、固体材料のエネルギー伝送路によって、この装置の別の部分に接続されている。
【０００８】
したがって、監視ユニットがデバイスに取り付けられる時間の少なくとも一部分の間、前述の監視ユニットはスタンドアロンの動作モードで動作する。したがって、監視ユニットは、取付け期間の少なくとも一部分の間、スタンドアロンの動作モードで動作する。したがって、前述の取付け期間を通じてスタンドアロンの動作モードで情報を収集すると、収集期間を適合させるための柔軟性が高まる。情報は、監視ユニットがスタンドアロンの動作モードで動作する取付け期間の少なくとも一部分の間、監視ユニットによって収集される。
【０００９】
インラインで取付け領域の方へ搬送されるデバイスのうちの1つに対して監視ユニットが取り付けられる取付け期間をより詳細に見ると、矛盾しなければ、これから述べる任意の実施形態と組み合わされ得る本発明による方法の一実施形態では、監視ユニットを取り付けられたデバイスは、監視ユニット付きの、または監視ユニットなしの他のデバイスと並んで、取外し領域へと搬送される。搬送経路を長くすることなく、前述の停止段階の間の取付け期間を増加することによって収集期間を長くするように、この搬送中、監視ユニット付きの前述のデバイスが静止状態に保たれる段階が設けられてよい。
【００１０】
矛盾しなければ、これから述べる任意の実施形態と組み合わされ得る、本発明による方法の一実施形態では、この装置の取付け領域と実質的に同一の位置に取外し領域が配置されてよい。それによって、監視ユニット付きのデバイスが、監視ユニット付きまたは監視ユニットなしの他のデバイスとともに、インラインで取付け領域から取外し領域へと搬送される場合、これは、それぞれの搬送経路が、取付け領域の位置から取外し領域の同一の位置へとループすることを意味する。
【００１１】
これから述べる任意の実施形態と組み合わされ得る本発明による方法のさらなる実施形態では、矛盾しなければ、監視ユニット付きのデバイスが取付け期間の全体を通じて静止状態に保たれる。これは、少なくとも監視ユニット付きのそのデバイスは、監視ユニットが取り付けられた後、取り外されるときまで、静止状態に保たれることを意味する。それによって、取付け領域と取外し領域が、この装置の同一の位置に実質的に配置される。
【００１２】
いずれにせよ、取付け期間中に、監視ユニットがスタンドアロンの動作モードで動作する第1の期間と、第1の期間に少なくともオーバーラップする、監視ユニットによって情報が収集される第2の期間とが存在する。
【００１３】
それによって、監視ユニットにおける情報収集の少なくとも一部分が、監視ユニットがスタンドアロンの動作モードを終えたとき、または、前述の取付け期間がまだ始まっていないときもしくは既に終了したとき、遂行され得る。これは、収集期間が、取付け期間の前に始まり得ること、および/または取付け期間の後に終了し得ることを意味する。
【００１４】
全体の装置が、たとえば短い収集期間からより長い収集期間まで適合すべきであるなら、これは、取付け期間の、収集が遂行される部分を長くするだけで柔軟に行われてよく、したがって、一実施形態では、取付け領域と取外し領域の間の搬送経路を長くすることにより、デバイスに取り付けられた、スタンドアロンの動作モードで動作する監視ユニットによって情報が収集される。搬送経路を長くすることの代わりに、またはそれに加えて、前述の取付け期間のその部分の間、有効にされたバッファチャンバに対してデバイスが等しい速度で搬入/搬出されてよいが、バッファチャンバの中では、デバイスの搬送は、収集期間を得るために、より遅くなり、さらには静止する。もちろん、一般に、所定の収集速度において、検査および/または試験の対象のデバイスからの情報または該デバイスによってもたらされる情報を収集するのに、より長い時間が利用可能であれば、検査および/または試験はより正確なものになる。スタンドアロンの動作モードでは、監視ユニットと全体の装置の他の部分の間の、結線によるエネルギー伝送の接続がないので、デバイス上の監視ユニットがスタンドアロンの動作モードのとき、この装置に対する複雑な構造上の修正なしで、取付け期間の柔軟な修正が可能である。これは、監視ユニットが、単に取付け期間のその部分にのっとってスタンドアロンの動作モードで動作するためである。
【００１５】
したがって、監視ユニットがスタンドアロンの動作モードのとき、主として取付け期間を変更することにより、全体の装置を、1つのタイプのデバイスから別のタイプに適合させること、ならびに/または1つのタイプの検査および/もしくは試験からの別のタイプに適合させることが可能になる。加えて、そのような適合は、1つのタイプの監視ユニットを別のものと交換しなければならないことがある。
【００１６】
したがって、前述のように、矛盾しなければ、前述の実施形態および未述の実施形態のすべてと組み合わされ得る、本発明による一実施形態では、デバイスに対して、またはデバイスの上に監視ユニットを取り付けたものが、取付け領域から取外し領域へとインラインで搬送される。
【００１７】
矛盾しなければ、前述の実施形態および未述の実施形態のすべてと組み合わされ得る、本発明による方法の一実施形態では、取付け領域および取外し領域は、少なくとも実質的に同一の位置に設けられ、あるいは互いに遠隔である。
【００１８】
矛盾しなければ、前述の実施形態および未述の実施形態のすべてと組み合わされ得る、本発明による方法の一実施形態では、取付け領域および取外し領域が、実質的に同一の位置に設けられ、デバイスに対して、またはデバイスの上に監視ユニットを取り付けたものが、少なくとも取付け期間を通じて静止状態に保たれる。
【００１９】
デバイスに対して、またはデバイスの上に監視ユニットを取り付けたものが、取付け領域から取外し領域へとインラインで搬送される、本発明による方法の一実施形態によれば、取付け領域および取外し領域が同一の位置に配置されているか、または互いに遠隔であるかということにかかわらず、監視ユニット付きのデバイスは、取付け領域から取外し領域への前述の搬送の期間を通じて静止状態に保たれる。
【００２０】
矛盾しなければ、前述の実施形態および未述の実施形態のすべてと組み合わされ得る、本発明による方法の一実施形態では、収集期間は、取付け期間の前に、取付け期間と一緒に、または取付け期間の後に始まる。収集期間の開始が取付け期間に先行する場合、たとえば、それぞれのデバイスに、またはそのデバイスの上に監視ユニットを取り付けている間に情報が収集される。そのような情報は、たとえば適切な取付けを表し得る。取付け期間の開始後に収集期間を開始すると、監視ユニットをデバイスに取り付ける間の、試験および/または検査の結果に影響を及ぼす恐れのある不安定な過渡挙動を考慮に入れることになるであろう。
【００２１】
収集期間の開始が、前述の取付け期間の開始の前か、同時か、または後か、ということとは無関係に、そのような収集期間はスタンドアロンの期間の一部分を含む。
【００２２】
矛盾しなければ、前述の実施形態または未述の実施形態の任意のものと組み合わされ得る、本発明による方法のさらなる実施形態では、収集期間は、スタンドアロンの期間の開始の前に、またはそれとともに、または後に始まる。
【００２３】
収集期間がスタンドアロンの期間の前に始まる場合、これは監視ユニットが全体の装置の静止部分へのエネルギー伝達のために、たとえば監視ユニットの電力供給のための電子的充電ラインによって、または制御承認信号ワイヤによって、または情報伝送ワイヤ、もしくは真空引きまたは加圧に関する他のエネルギー伝達リンク、熱伝送リンクなどによって依然として結線で連結されているとき、収集が既に遂行されていることを意味する。収集期間がスタンドアロンの期間の開始以後に始まる場合、これは、少なくとも初期段階において監視ユニットが既にスタンドアロンの動作モードで動作しており、情報収集が、監視ユニットにおいて、全体の装置の他の部分への有線接続から独立して、すなわち局所的に、事実上どこでも完全に遂行され得ることを意味する。
【００２４】
矛盾しなければ、前述の実施形態または未述の実施形態の任意のものと組み合わされ得る、本発明による方法のさらなる実施形態では、監視ユニットのスタンドアロンの期間は、取付け期間中、および取外し領域から取付け領域へたとえば搬送によって戻されるとき、継続する。これは、監視ユニットが、- 取付け領域 - 取外し領域 - 取付け領域 - というループに沿って事実上恒久的にスタンドアロンの動作モードになっていて、監視ユニットとこの装置の他の部分との間のすべてのエネルギー伝達が、結線ではなく、したがってワイヤレスで遂行されることを意味する。
【００２５】
たとえば監視ユニットが、動作において、この装置の他の部分に対して結線されなければ、監視ユニットの、それぞれのデバイスに対する適合ならびにそれぞれのデバイスの検査および/または試験に関する特定ニーズに対する動作のための最大限の自由が達成される。
【００２６】
矛盾しなければ、前述の実施形態または未述の実施形態の任意のものと組み合わされ得る、本発明による方法のさらなる実施形態では、スタンドアロンの期間は、遅くとも取付け期間と一緒に始まる。これは、監視ユニットとこの装置の他の部分の間にエネルギー伝達のための何らかの結線接続またはリンクが組み込まれている場合、そのような結線接続またはリンクは、遅くとも、監視ユニットが、それぞれのデバイスに対して、またはそのデバイスの上に取り付けられるときには取り外されることを意味する。
【００２７】
矛盾しなければ、前述の実施形態および未述の実施形態の任意のものと組み合わされ得る、本発明による方法の一実施形態では、収集期間は、取付け期間の前に、取付け期間と一緒に、または取付け期間の後に終了する。前述の取付け期間の前に収集期間が終了する場合、これは、監視ユニットにおける情報収集が停止したときでも、監視ユニットがそれぞれのデバイスに、またはそのデバイスの上に取り付けられたままであることを意味する。これは、たとえば収集期間の後、収集された情報に依拠する情報を評価して、後に、たとえば検査または試験の合否に従ってそれぞれのデバイスを選択するために、そのような評価の結果を監視ユニットに書き込む場合、有利なことであり得る。情報収集が終了した後もデバイスに監視ユニットを取り付けておくと、デバイスのさらなる処理のために、そのデバイスを、取り付けられている監視ユニットによって識別することが事実上可能になる。
【００２８】
収集期間が前述の取付け期間とともに終了する場合、または同期間の後に終了する場合、取外し動作における出来事または取外し動作中の出来事に関する情報を含む情報を収集して保持することが可能になる。そのような情報は、たとえば、デバイスに対する監視ユニットの以前の取付けが適切であることを確認するのに重要であり得る。
【００２９】
その上、監視ユニットがそれぞれのデバイスから取り外されるとき、次いで、さらに処理すべきデバイスから監視ユニットが分離されるので、監視ユニットから遠隔ユニットへ伝達する情報の少なくとも一部分に対する情報収集は、いかなる時間的制限もなく遂行される。
【００３０】
矛盾しなければ、前述の実施形態または未述の実施形態の任意のものと組み合わされ得る本発明による方法のさらなる実施形態では、収集期間は、スタンドアロンの期間の終了の前に、またはそれとともに、または後に終了する。
【００３１】
スタンドアロンの期間の前に収集期間が終了する場合、監視ユニットにおける情報の収集および保持は、監視ユニットに対してエネルギー伝達のための有線接続またはリンクを取り付けることの影響を受けない。前述の結線リンクまたは接続のそのような取付けは、監視ユニットのスタンドアロンの動作モードを終結することを意味することに注意されたい。
【００３２】
スタンドアロンの期間の終了以後に収集期間が終了する場合、収集情報の中に、前述の結線リンクまたは接続の適切/不適切な取付けに関する重要な情報を含めることが可能になる。そのような情報は、たとえば監視ユニットにおいて収集された情報に依拠する情報の有線伝送のための、監視ユニットに対するそのような結線接続の接合が適切に確立されているかどうか確証するのに関連し得る。
【００３３】
矛盾しなければ、前述の実施形態または未述の実施形態の任意のものと組み合わされ得る、本発明による方法のさらなる実施形態では、スタンドアロンの期間は、監視ユニットにおいて収集された情報に依拠する情報の遠隔ユニットへの伝送の前に、または伝送した後に終了する。スタンドアロンの期間が、前述の伝送の前に終了する場合、これは、監視ユニットに対して、たとえば金属線接続、または光ファイバ接続といった結線伝送リンクを取り付けることによってそのような伝送が遂行され得ることを意味する。他方では、スタンドアロンの期間がそのような伝送の後に終了する場合、これは、監視ユニットにおいて収集された情報に依拠する情報の遠隔ユニットへの伝送がワイヤレスのやり方で遂行されることを意味する。
【００３４】
矛盾しなければ、前述の実施形態または未述の実施形態の任意のものと組み合わされ得る、本発明による方法のさらなる実施形態では、監視ユニットにおいて収集された情報に依拠する情報の遠隔ユニットへの伝送は、取付け期間が終了する前に、または終了後に遂行される。監視ユニットをデバイスから取り外す前に伝送が遂行される場合、デバイスに依然として取り付けられている監視ユニットに対して、たとえば評価の結果に関する情報を書き戻すことが可能になる。それによって、それぞれのデバイスが、そのような情報を用いて間接的にマーキングされ、これが、それぞれのデバイスをどのように処理すべきか、後に判断するのに利用され得る。
【００３５】
そのような取外しの後に伝送が遂行される場合、そのそれぞれのデバイスを後に残す監視ユニットを、取外し領域から遠方の伝送ステーションまで搬送することが可能になる。これは、たとえば情報伝送がより長い時間持続する場合に有効な手法であり得る。
【００３６】
矛盾しなければ、前述の実施形態または未述の実施形態の任意のものと組み合わされ得る、本発明による方法の一実施形態では、監視ユニットに収集される情報は、ガス圧、ガス圧の過程、ガス中のガス種の量、そのような量の過程、温度、温度の過程、可視光および/または不可視光のスペクトルの光学的特性、そのような光学的特性の過程、照射に対する反応、そのような反応の過程、電気的インピーダンス、そのようなインピーダンスの過程、力、そのような力の過程のうち少なくとも1つである。
【００３７】
したがって、監視ユニットにおいて収集される情報は、ガス圧またはガス圧の過程でよい。これは、たとえば、閉じた容器または開いた容器が漏出性に関して試験される場合のことである。一般に、そのような容器の周囲とそのような容器の内部の間に圧力差が確立されていれば、漏れがあると、漏出性による均圧のために、容器の内部の圧力および/または周囲の圧力が長時間にわたって変化する。したがって、一例として、この場合、ガス圧またはガス圧の過程を収集して、それに依拠する情報を利用する。
【００３８】
それによって、本説明および特許請求の範囲の全体にわたって、「過程」の下で、それぞれ前述の実体の推移を長時間にわたって推察する。
【００３９】
監視ユニットにおいて収集される情報は、ガスの中のガス種の量またはそのような量の過程であり得る。これは、たとえば、デバイスとしての閉じた容器が、所定のガス種を含むガスで加圧される場合であり得る。漏れがあると、加圧ガスが、容器から容器の周囲へ流れる。周囲において、ガスは、監視ユニットによってたとえばサンプルコンパートメントに収集される。それによって、サンプルコンパートメントの中のガスは、関連情報、すなわちガス種の量を含む。監視ユニットにおけるそのようなサンプルコンパートメントから、ガス解析器ユニットとして実現される遠隔ユニットへのガスの流れ連絡を確立することにより、情報、すなわち前述の所定のガス種の含有量または量が、1つの情報としてガス分析の遠隔ユニットに伝送され、この遠隔ユニットが、試験結果として、ガスサンプル、詳細には前述のガス種の量を分析する。後に、監視ユニットの複数のサンプルコンパートメントの中へガスサンプルを取り込んで分析することにより、前述の量のガス種の過程が評価され得る。
【００４０】
さらに、監視ユニットにおいて収集される情報は、温度または温度の過程でよい。たとえば閉じた液体充填容器またはガス充填容器の漏出性を検査するために、温度情報が、温度センサ機構または赤外線画像によって収集されてよい。
【００４１】
監視ユニットが収集して保持する情報は、可視および/または非可視の光スペクトルの光学的特性またはそのような光学的特性の過程でよい。これは、たとえばそのようなデバイスの形状、損傷、適切な組立て、漏出性に対して検査するための、たとえばデバイスの可視または赤外線の光学的外観でよい。そうでなければ、透明容器の内容物が試験されてよく、たとえば容器がレーザビームに露光され、そのようなレーザビームの吸収が、前述の容器の内容物の指標として感知される。
【００４２】
さらに、監視ユニットにおいて収集される前述の情報は、照射またはそのような照射の過程に対する反応に関する特性でよい。たとえば、デバイスの構造的整合性が検査される場合、そのようなデバイスはX線照射に露光されてよい。そのような照射に対するデバイスの反応としてのデバイスのX線画像は、後の評価のために、たとえば監視ユニットによって保持される。複数の画像によって、それぞれの過程を評価することができる。
【００４３】
さらに、監視ユニットにおいて収集される前述の情報は、電気的インピーダンス、すなわち導電率、キャパシタンス、誘導率およびそれらの組合せ、またはそのようなインピーダンスの過程でよい。たとえば液体製品を含んでいる容器の漏れを試験する場合、たとえばそのような容器の外壁に沿った導電率といった電気的インピーダンスを感知すると、漏出性を表示し得る。
【００４４】
その上、監視ユニットによって収集される前述の情報は、力またはそのような力の過程でよい。一例として、たとえばゴムの壁を有してガスを含んでいる閉じた容器の漏れを試験する場合、そのような容器に対して外部から偏重をかけ、そのような偏重に対する反力または前述の偏重のために容器が外に膨れる力を測定することによって遂行してよい。したがって、力またはそのような力の過程の監視は、容器の漏出性に関する情報であり得る。
【００４５】
事実上、これらの例は、デバイスに近接してスタンドアロンの動作モードで、デバイスからの情報またはデバイスによってもたらされる情報のそれぞれが収集され得る限り、本発明が多種多様な検査および/または試験の技術に適用され得ることを示す。
【００４６】
矛盾しなければ、前述の実施形態および未述の実施形態のすべてと組み合わされ得る、本発明の一実施形態では、監視ユニットにおいて収集される情報は、デバイスを取り巻くガスの、所定のガス種の量である。監視ユニットにおいてその情報を収集するステップは、デバイスを取り巻くガスのサンプルを監視ユニットの内部のサンプルコンパートメントの中へ収集するステップを含む。それによって、評価するステップは、一例として、遠隔ユニットにおいて質量分光計によって遂行されるガス分析を含む。監視ユニットのサンプルコンパートメントに保持された情報は、サンプルコンパートメントから遠隔ユニットへのガス流れ連絡を確立することによって伝送される。
【００４７】
矛盾しなければ、前述の実施形態または未述の実施形態の任意のものと組み合わされ得る、本発明のさらなる実施形態では、監視ユニットにおいて収集される情報は、ガス圧またはガス圧の過程を含む。前述の情報を収集するステップは、監視ユニットによってデバイスまたはその近傍に取り付けられた圧力センサ機構で圧力情報を収集するステップを含む。
【００４８】
たった今述べた実施形態の一変形形態では、デバイスは閉じた容器である。監視ユニットを取り付けると、閉じた容器と監視ユニットの間に、密閉された隙間が生じる。圧力センサ機構が、前述の隙間の圧力を感知する。
【００４９】
たった今述べた実施形態の一変形形態では、隙間の圧力は、スタンドアロンの期間中またはそれ以前のうち少なくとも一方で、閉じた容器内の支配的圧力よりも高く、または低くされる。
【００５０】
圧力のそのような上昇または低下がスタンドアロンの期間中に遂行される場合、監視ユニットは、たとえば予圧のかかったコンパートメントまたはあらかじめ真空にされたコンパートメントといった圧力源または真空源を備えてよく、これが、スタンドアロンの期間を通じて、前述の隙間に対して流れ連絡する。そのような上昇または低下が、スタンドアロンの期間の前に遂行される場合、ガスフローラインすなわち結線によって監視ユニットおよび隙間に連結された、監視ユニットから遠方のそれぞれの圧力源または真空源によって遂行されてよい。
【００５１】
収集するステップが、圧力センサ機構によって圧力情報を収集するステップを含むさらなる一実施形態では、デバイスは開いた容器である。監視ユニットを取り付けるステップは、開いた容器の内部に対して圧力センサ機構を流れ連絡で密閉して取り付けるステップとなる。一旦、密閉された流れ連絡が確立されると、容器の内部と容器の周囲の間の圧力差が確立される。
【００５２】
矛盾しなければ、前述の実施形態および未述の実施形態の任意のものと組み合わされ得る、本発明の一実施形態では、監視ユニットは、監視ユニットの電源によって少なくともスタンドアロンの期間中は給電される。
【００５３】
そのような電源は、バッテリーまたは再充電可能な電池機構もしくは静電容量機構でよい。
【００５４】
たった今述べた実施形態の一変形形態では、電源は、スタンドアロンの期間の前、期間中、期間の後のうち少なくとも1つにおいてワイヤレスで充電される。それによって、特にスタンドアロンの期間中に、監視ユニットによる消費電力に依拠して、誘導充電のようにワイヤレス充電するのが最も適応性がある。ワイヤレス充電は、スタンドアロンの期間の前に1回もしくは数回、および/またはスタンドアロンの期間中に1回以上、および/またはスタンドアロンの期間の後に1回もしくは数回遂行されてよい。したがって、監視ユニットの電力消費がより大きければ、ワイヤレス充電は、取付け領域から取外し領域へ、また取付け領域への戻りで、監視ユニットのループに沿って恒久的に遂行されてよく、またはスタンドアロンの期間中に恒久的に遂行されてもよい。
【００５５】
矛盾しなければ、前述の実施形態および未述の実施形態の任意のものと組み合わされ得る、本発明による方法の一実施形態では、監視ユニットにおいて情報を収集するステップは、少なくとも1つの離散的時間間隔において遂行され、収集された情報に依拠する情報を伝送するステップは、その前述の時間間隔中に遂行される。
【００５６】
それによって、デバイスからの情報またはデバイスによってもたらされる情報は、前述の少なくとも1つの離散的時間間隔において、事実上サンプリングされた測定値としてサンプリングされ、それに依拠する情報は、少なくとも実質的に前述の時間間隔中に、遠隔ユニットに対して伝送される。収集するステップおよび伝送するステップが同一の時間間隔において遂行されるので、監視ユニットにおいて情報を中間的に保持するステップは、記憶する意味では不要である。それによって、前述の少なくとも1つの時間間隔において監視ユニット間の伝送リンクが確立されなければならず、これは、前述の時間間隔中は監視ユニットから遠隔ユニットに対して結線接続が取り付けられていること、または、前述の時間間隔中は、特にその時間間隔において監視ユニットがスタンドアロンの動作モードで動作している場合には、監視ユニットが遠隔ユニットとワイヤレス通信中であること、のいずれかを意味する。しかしながら、それぞれの異なる時間間隔においていくつかの情報を収集して伝送することが無条件に可能であり、それによって、前述のように、監視ユニットにおいて情報を保持するかまたは記憶する必要があり、加えて、実質的に同時に収集して伝送する必要があることに注意されたい。
【００５７】
たった今述べた実施形態の一変形形態では、収集するステップが複数の離散的時間間隔において遂行され、伝送はそれぞれの時間間隔中に遂行される。それによって、情報の過程を実質的にポイント毎にサンプリングして、監視ユニットにおける中間的な保持または記憶はなく、そのようなサンプリングされた測定値を伝送することが可能になる。
【００５８】
それによって、少なくとも、1つまたは複数の離散的時間間隔のうちの1つが、スタンドアロンの期間に配置され、これによって、この変形形態では、スタンドアロンの期間の前述の1つの時間間隔において、監視ユニットと遠隔ユニットの間にワイヤレスの伝送通信が確立される必要がある。
【００５９】
矛盾しなければ、前述の実施形態および未述の実施形態の任意のものと組み合わされ得る、本発明による方法の一実施形態では、収集された情報またはそれに依拠する情報は、少なくとも伝送するときまで、監視ユニットにおいて保持されるかまたは記憶される。この実施形態では、監視ユニットから遠隔ユニットに対して情報を伝送する時間は、監視ユニットにおいて情報が収集される時間または期間から独立したものになる。したがって、一例として、スタンドアロンの期間中に情報が収集され得るが、監視ユニットにおいて保持されかつ記憶されたそれぞれの情報は、後に、たとえば監視ユニットが結線動作モードのとき、または既にデバイスから取り外されているとき、遠隔ユニットに伝送される。
【００６０】
矛盾しなければ、前述の実施形態および未述の実施形態の任意のものと組み合わされ得る、本発明による方法の一実施形態では、監視ユニットにおいて収集された情報またはそれに依拠する情報が監視ユニットにおいて評価され、伝送される情報にはそのような評価の結果が含まれる。それによって、「評価」とは、入力信号すなわち前述の収集された情報またはそれに依拠する情報が入力されて、入力情報に対する比較、乗算、除算、加算、減算、フィルタリングなどの操作の結果として様々な情報が出力としてもたらされる動作と理解される。伝送された情報が監視ユニットにおいて評価されていない場合、または監視ユニットにおいて完全には評価されていない場合、遠隔ユニットは、必要に応じて、評価または残りの評価を遂行する。
【００６１】
ワイヤレス伝送は、監視ユニットの経路に沿った特定の位置における実質的な伝送バーストとして、たとえば10cmの短い伝送距離にわたって遂行されてよく、それによって、そのような伝送のための消費電力を最小化する。
【００６２】
矛盾しなければ、前述の実施形態および未述の実施形態の任意のものと組み合わされ得る、本発明の一実施形態では、複数の監視ユニットが用意され、好ましくは、後に、取付け領域へとインラインで搬送される後続のデバイスに対して取り付けられる。
【００６３】
それによって、インラインで搬送されるデバイスの検査および/または試験が、ランダムに選択されたデバイスまたは規則的に選択されたデバイスにおいて遂行され得、「規則的」とは、取付け領域へと搬送される任意のn番目のデバイスに監視ユニットが備わっていることを意味する。
【００６４】
デバイスのそれぞれの数に対して複数の監視ユニットを同時に取り付けることも可能である。
【００６５】
矛盾しなければ、前述の実施形態または未述の実施形態の任意のものと組み合わされ得る、本発明のさらなる実施形態では、複数の監視ユニットが用意され、好ましくは、後に、取付け領域へとインラインで搬送されるすべての後続のデバイスに対して取り付けられる。
【００６６】
矛盾しなければ、前述の実施形態および未述の実施形態の任意のものと組み合わされ得る、本発明による方法のさらなる実施形態では、収集された情報に依拠する情報が評価され、そのような評価の結果が監視ユニットの記憶装置に記憶される。前述のように、それによって、評価は、監視ユニット、または遠隔ユニット、またはその両方において遂行され得る。そのような評価の記憶された結果が監視ユニットから読み出され、この装置の選択ユニットが、それぞれのデバイスのさらなる処理を選択するために、そのような読出し結果によって制御される。
【００６７】
したがって、評価結果を監視ユニットに記憶した後、依然として監視ユニットに結合されているデバイスまたはちょうど監視ユニットから去ったデバイスは、そのような結果によって、たとえばそれぞれの検査および/または試験の合否の属性を与えられる。選択ユニットは、鉄道の中継プレートのように動作すると言われることがあり、記憶された結果によって、デバイスをさらにどのように処理すべきか選択するように制御される。それによって、監視ユニットは、選択ユニットに近い上流または下流でデバイスから取り外されてよい。
【００６８】
矛盾しなければ、前述の実施形態または未述の実施形態の任意のものと組み合わされ得る、本発明の方法による一実施形態では、デバイスは、取付け領域から取外し領域へとインラインで搬送され、この搬送は、デバイスを、少なくとも1つのベルトコンベヤによってインラインで搬送するステップを含む。
【００６９】
取付け領域から取外し領域への、少なくとも1つのベルトコンベヤを含む搬送を実現することにより、搬送経路の範囲または長さが、取付け期間の様々なニーズに対して、したがって収集期間の様々なニーズに対して柔軟に適合され得る。監視ユニットは、そのような少なくとも1つのベルトコンベヤに沿ってスタンドアロンの動作モードで動作する。
【００７０】
検査および/または試験の精度を向上するため、または、他のデバイスおよび/または遂行すべき検査および/もしくは試験に適合するためのいずれかで、たとえば前述の期間を長くすべきである場合、これは、単に別のベルトコンベヤを設けることにより、またはさらなるベルトコンベヤを追加することによって遂行される。
【００７１】
本発明は、検査および/または試験に合格したデバイスを生産する方法もさらに対象とするものである。この方法は、未検査および/または未試験のデバイスを用意するステップと、未検査および/または未試験のデバイスを、前述の検査および/または試験の方法によって、恐らくその実施形態のうち1つまたは複数で、インラインで検査し、かつ/または試験するステップとを含む。それによって、デバイスに割り当てられた検査および/または試験の肯定的な結果を示す評価結果は、デバイスが検査および/または試験に合格したことを示す。
【００７２】
本発明は、インラインのデバイスの検査および/または試験の装置をさらに対象とするものである。そのような装置は、本発明によって、上記で概説したような目的を実現するように、
・そのようなデバイスからの情報および/またはそのようなデバイスによってもたらされる情報を収集するために、同デバイスのうちの1つに対して、またはその上に、取外し可能に、スタンドアロンの動作モードで取り付けるように適合された少なくとも1つの監視ユニットであって、それによって、スタンドアロンの期間を通じてスタンドアロンの動作モードで動作する監視ユニットと、
・デバイスのうち1つに対して、またはその上に、監視ユニットを取り付けるように適合された取付けユニットと、
・そのようなデバイスから監視ユニットを取り外すように適合された取外しユニットであって、監視ユニットが、取付け期間の後に、デバイスに対して、またはその上に取り付けられたとき起動される取外しユニットと、
・デバイスを、取付けユニットへとインラインで搬送して、これと位置合わせするように適合されたコンベヤと、
・監視ユニットを取外しユニットから取付けユニットへ運ぶように適合された機構と、
・前述のコンベヤに対して静止している受信ユニットであって、監視ユニットにおいて収集された情報に依拠する情報を受信するように適合された受信ユニットと、
・前述のコンベヤに対して静止している遠隔ユニットであって、受信ユニットの出力に対して運転可能に接続された入力を有する遠隔ユニットと、
・収集期間中に情報を収集するために監視ユニットを制御するように適合された制御手段とを備える。
・それによって、スタンドアロンの期間が、取付け期間の少なくとも一部分を含み、
・収集期間が、制御手段によって、前述の取付け期間の少なくとも一部分を含むように制御される。
【００７３】
未述の実施形態の任意のものと組み合わされ得る、本発明による装置の一実施形態では、この装置には、監視ユニットをそれに対してまたはその上に取り付けたデバイスを含むデバイスを、取付けユニットから取外しユニットへとインラインで搬送して、これと位置合わせするように適合されているコンベヤが含まれる。
【００７４】
矛盾しなければ、前述の実施形態および未述の実施形態の任意のものと組み合わされ得る、本発明による装置の一実施形態では、取付けユニットおよび取外しユニットは、少なくとも実質的に同一の位置に設けられているか、または互いに遠隔である。取付けユニットおよび取外しユニットが同一の位置に設けられていると、これは、監視ユニットが、デバイスに取り付けられるのと同一の位置でデバイスから取り外されることを意味する。取付けユニットと取外しユニットの間には搬送ループがあってよく、これは、監視ユニット付きデバイスの取付け期間を望み通りに選択することができる程度のものである。他方では、監視ユニットは、静止状態に保たれたデバイスに対して着脱されてよく、すなわち、監視ユニットの着脱はデバイスが静止している間に遂行される。
【００７５】
取付けユニットおよび取外しユニットが互いに遠隔であれば、監視ユニット付きデバイスのために、取付けユニットから取外しユニットへの搬送経路が設けられ、取付け期間は、搬送する長さおよび/または平均速度によって望み通りに調整され得る。
【００７６】
矛盾しなければ、前述の実施形態および未述の実施形態の任意のものと組み合わされ得る、本発明による装置の一実施形態では、取付けユニットおよび取外しユニットは同一の位置に設けられ、この装置は、前述の位置に、少なくとも1つのデバイスのための据置き型の支持機構を備える。これは、前述のように、デバイスが監視ユニットを伴って装着され、デバイスが静止状態のとき監視ユニットがデバイスから取り外される場合のことである。
【００７７】
矛盾しなければ、そのような装置の前述の実施形態および未述の実施形態の任意のものと組み合わされ得る、本発明による装置のさらなる実施形態では、この装置は、取付けユニットから取外しユニットへの搬送経路に沿って、少なくとも1つのデバイスのための据置き型の支持機構を備える。
【００７８】
この実施形態では、監視ユニット付きのデバイスは、取付けユニットから、同一の位置または遠隔の位置に配置された取外しユニットへ搬送されるが、そのような搬送経路に沿って、デバイス用の遅延機構と称され得る据置き型の支持機構が設けられており、これは、デバイスに対して、またはデバイスの上に監視ユニットを取り付けたものが、前述の経路に沿って、待機位置に静止して保たれることを意味する。それによって、取付け期間が、そのような遅延によって、取付けユニットから取外しユニットへの搬送経路の長さの変更および/または前述の2つのユニット間の搬送速度の変更を必要とすることなく望み通りに延長され得る。
【００７９】
矛盾しなければ、前述の実施形態および以下で述べる実施形態の任意のものと組み合わされ得る、本発明による装置の一実施形態では、収集期間は、取付け期間の開始前に、開始とともに、または開始後に始まるように制御手段によって制御される。
【００８０】
矛盾しなければ、前述の実施形態および未述の実施形態の任意のものと組み合わされ得る、本発明による装置のさらなる実施形態では、収集期間は、スタンドアロンの期間の開始前に、開始とともに、または開始後に始まるように制御手段によって制御される。
【００８１】
矛盾しなければ、前述の実施形態および未述の実施形態の任意のものと組み合わされ得る、本発明による装置のさらなる実施形態では、監視ユニットは、取付けユニットから取外しユニットへ、また取付けユニットへとループする間、スタンドアロンの動作モードが継続する。
【００８２】
矛盾しなければ、前述の実施形態および未述の実施形態の任意のものと組み合わされ得る、本発明による装置のさらなる実施形態では、監視ユニットは、遅くとも取付け期間の開始時点ではスタンドアロンの動作モードになっている。
【００８３】
矛盾しなければ、前述の実施形態および未述の実施形態の任意のものと組み合わされ得る、本発明による装置のさらなる実施形態では、制御手段は、取外しユニットがデバイスから監視ユニットを取り外す前に、取り外すとともに、または取り外した後に、収集期間を終了するように制御する。
【００８４】
矛盾しなければ、前述の実施形態および未述の実施形態の任意のものと組み合わされ得る、本発明による装置のさらなる実施形態では、収集期間は、スタンドアロンの期間の終了前に、終了とともに、または終了後に、終了するように制御手段によって制御される。
【００８５】
矛盾しなければ、前述の実施形態および未述の実施形態の任意のものと組み合わされ得る、本発明による装置のさらなる実施形態では、スタンドアロンの期間は、受信ユニットによる情報受信の前に、またはその後に終了する。
【００８６】
矛盾しなければ、前述の実施形態および未述の実施形態の任意のものと組み合わされ得る、本発明による装置のさらなる実施形態では、監視ユニットは、ガス圧、ガス圧の過程、ガス中のガス種の量、そのような量の過程、温度、温度の過程、可視光および/または不可視光のスペクトルの光学的特性、そのような光学的特性の過程、照射に対する反応、そのような反応の過程、電気的インピーダンス、そのようなインピーダンスの過程、力、そのような力の過程のうち少なくとも1つを表す情報を収集して保持するように適合された手段を備える。
【００８７】
矛盾しなければ、前述の実施形態および未述の実施形態の任意のものと組み合わされ得る、本発明による装置のさらなる実施形態では、監視ユニットは、デバイスを取り巻くガスにおける所定のガス種の量を表す情報を収集して保持するように適合された手段を備える。監視ユニットにおいて情報を収集して保持するように適合された手段は、監視ユニットの中にサンプルコンパートメントを備え、遠隔ユニットはガス分析向けに適合されている。受信ユニットは、サンプルコンパートメントに対して制御可能に接続されるように適合された入力ガスフローラインを備える。
【００８８】
矛盾しなければ、前述の実施形態および未述の実施形態の任意のものと組み合わされ得る、本発明による装置のさらなる実施形態では、監視ユニットはガス圧力センサ機構を備える。
【００８９】
たった今述べた実施形態のさらなる実施形態では、前述のデバイスは閉じた容器であり、監視ユニットは、そのようなデバイスの上に取り付けるように適合されている。監視ユニットは、前述のデバイスとともに、閉じた容器と監視ユニットの間に、密閉された隙間を画定する。圧力センサ機構は、前述の隙間に対して動作可能に接続されている。
【００９０】
たった今述べた実施形態のさらなる実施形態では、この装置がさらに備える手段は、スタンドアロンの期間の前またはその期間中に、隙間の圧力を、閉じた容器の中の支配的な圧力よりも高くするかまたは低くするように適合されている。
【００９１】
本発明による装置のさらなる実施形態では、監視ユニットがガス圧力センサ機構を備え、デバイスは開いた容器である。監視ユニットは、圧力センサ機構を、開いた容器の内部に対する密閉した流れ連絡で、密閉して取り付けるように適合されており、一旦、密閉された流れ連絡が確立されると、容器の内部と容器の周囲の間の圧力差を確立するように適合された手段を備える。
【００９２】
矛盾しなければ、前述の実施形態および未述の実施形態の任意のものと組み合わされ得る、本発明による装置のさらなる実施形態では、監視ユニットが備える電源ユニットが、少なくともスタンドアロンの期間中に監視ユニットに給電するように適合されている。
【００９３】
本発明によるこの装置のたった今述べた実施形態の一実施形態では、電源ユニットは、誘導充電のようにワイヤレスで充電可能である。
【００９４】
矛盾しなければ、前述の実施形態および未述の実施形態の任意のものと組み合わされ得る、本発明による装置の一実施形態では、制御手段は、監視ユニットを制御して、監視ユニットが受信ユニットに隣接したとき情報を収集させるように適合されている。それによって、収集された情報サンプルに依拠する情報が、監視ユニットの中間記憶なしで受信ユニットに伝送される。
【００９５】
たった今述べた実施形態の一実施形態では、複数の前述の受信ユニットが、取付けユニットから取外しユニットへ行って戻る監視ユニットの経路に沿った別個の位置に設けられ、制御手段は、監視ユニットを制御して、監視ユニットがそれぞれの受信ユニットに隣接したとき情報を収集させるように適合されている。それによって、複数の情報サンプルが収集され、収集された情報サンプルに依拠する情報が、直接、すなわち、実質的に監視ユニットの中間記憶なしで、それぞれの受信ユニットに伝送される。監視ユニットが、受信ユニットにちょうど隣接したとき情報を収集する一実施形態では、監視ユニットは、そのような収集および伝送の間、スタンドアロンの動作モードになっている。
【００９６】
矛盾しなければ、前述の実施形態および未述の実施形態の任意のものと組み合わされ得る、本発明による装置の一実施形態では、監視ユニットは、収集された情報に依拠する情報を保持するための手段を備える。情報に依拠する情報とは、依拠する元の情報に等しいか、またはたとえばあらかじめフィルタリングされる、あらかじめ選択されるなど、元の情報とは異なり得ると理解される。
【００９７】
それによって、また、そのような保持のために、監視ユニットによる情報収集の時間、および収集されたそのような情報に依拠する情報を伝送する時間が、互いから独立して選択され得ることを意味し、すなわち、そのような情報を受信ユニットに伝送する時間は、たとえば、そのような情報が監視ユニットによって収集された時間よりもはるかに遅れて選択されてよい。
【００９８】
たとえば、監視ユニットは、スタンドアロンの動作モードのとき情報を収集してよいが、収集された情報に依拠する情報を伝送するのは、結線動作モードで動作しているとき、および/またはそれぞれのデバイスから既に分離しているとき、すなわち取外しユニットを通過した後でよい。
【００９９】
そのような装置の前述の実施形態および未述の実施形態の任意のものと組み合わされ得る、本発明による装置の一実施形態では、装置は評価ユニットを備え、それによって、監視ユニットおよび遠隔ユニットのうち少なくとも1つにおいて、評価ユニットは、監視ユニットの収集手段に対して運転可能に接続されているかまたは接続可能である。それによって、監視ユニットによって収集された情報が、監視ユニットのそれぞれの評価ユニットまたは遠隔ユニットのそれぞれの評価ユニットのいずれかによって評価されてよく、または、そのような評価の一部分が遠隔ユニットの評価ユニットによって遂行され、その他の部分が監視ユニットの評価ユニットによって遂行されるのでもよい。
【０１００】
矛盾しなければ、前述の実施形態および未述の実施形態の任意のものと組み合わされ得る、本発明による装置の一実施形態では、監視ユニットは、監視ユニットにおいて収集された情報を保持するための電子データ記憶装置を備える。
【０１０１】
矛盾しなければ、前述の実施形態および未述の実施形態の任意のものと組み合わされ得る、本発明による装置の一実施形態では、監視ユニットはワイヤレス送信ユニットを備え、受信ユニットはワイヤレス受信ユニットを備える。受信ユニットおよび送信ユニットは、どちらも双方向性でよい。
【０１０２】
たった今述べた実施形態の一実施形態では、監視ユニットは、収集された情報を保持するための電子データ記憶装置を備え、監視ユニットのワイヤレス送信ユニットの入力が、電子データ記憶装置の出力に対して運転可能に接続されている。
【０１０３】
それによって、「受信ユニット」とは、たとえばガス流れ、温度などの物理的信号を受信するように適合されたユニットと包括的に理解されるが、ワイヤレス受信ユニット、および同様にワイヤレス送信ユニットは、空中を伝送される電磁信号または光信号の形式の信号を、事実上非接触のやり方で、それぞれ受信するように適合されたもの、送信するように適合されたものと理解されることに注意する必要がある。
【０１０４】
矛盾しなければ、前述の実施形態および未述の実施形態の任意のものと組み合わされ得る、本発明による装置のさらなる実施形態では、装置は複数の前述の監視ユニットを備える。取付けユニットは、好ましくは、後続のデバイスが取付けユニットとの位置合わせの場所へとインラインで搬送された後に監視ユニットを取り付けるように適合されている。それによって、取外しユニットは、好ましくは、たとえば、デバイスが取外しユニットとの位置合わせの場所へとインラインで搬送された後に、デバイスから監視ユニットを取り外すように適合されている。
【０１０５】
矛盾しなければ、前述の実施形態および未述の実施形態の任意のものと組み合わされ得る、本発明による装置のさらなる実施形態では、装置は複数の前述の監視ユニットを備え、取付けユニットは、好ましくは、すべての後続のデバイスが取付けユニットとの位置合わせの場所へとインラインで搬送された後に監視ユニットを取り付けるように適合されている。取外しユニットは、好ましくは、デバイスが取外しユニットとの位置合わせの場所へとインラインで搬送された後に、それぞれのデバイスから監視ユニットを取り外すように適合されている。
【０１０６】
矛盾しなければ、前述の実施形態および未述の実施形態の任意のものと組み合わされ得る、本発明による装置のさらなる実施形態では、装置には評価ユニットが設けられ、評価ユニットの出力は、監視ユニットのリセット可能な記憶装置に対して運転可能に接続され得る。
【０１０７】
矛盾しなければ、前述の実施形態の任意のものと組み合わされ得る、本発明による装置のさらなる実施形態では、デバイスに対して、またはデバイスの上に監視ユニットを取り付けたものを、取付け期間中に、取付けユニットから取外しユニットの中へとインラインで搬送して、これと位置合わせするように適合されているコンベヤが、少なくとも1つのベルトコンベヤを備える。
【０１０８】
次に、本発明が、以下の図およびより詳細な説明の支援の下でさらに例証される。
【図面の簡単な説明】
【０１０９】
【図１】本発明による方法を作動させる本発明による装置の一実施形態を機能ブロック図/信号流れ図によって示す簡易化された概略図である。
【図２】図1の取付け期間TAppl.中に取り付けられた監視ユニットを伴うデバイスの取扱いの例を示す簡易化された概略図である。
【図３】図1の取付け期間TAppl.中に取り付けられた監視ユニットを伴うデバイスの取扱いの例を示す簡易化された概略図である。
【図４】図1の取付け期間TAppl.中に取り付けられた監視ユニットを伴うデバイスの取扱いの例を示す簡易化された概略図である。
【図５】本発明の枠組の中で実現され得る、検査され、かつ/または試験されるべきデバイスと協働する監視ユニットの第1の実施形態を示す簡易化された概略図である。
【図６】本発明の枠組の中で実現され得る、検査され、かつ/または試験されるべきデバイスと協働する監視ユニットのさらなる実施形態を、図5と類似の表現で示す図である。
【図７】図5および図6の状況とともに述べた一実施形態の監視ユニットにおける、情報の収集と伝送の同期を示す簡易化された概略図である。
【図８】本発明の枠組の中で実現され得る、検査され、かつ/または試験されるべきデバイスと協働する監視ユニットのさらなる実施形態を、図5および図6と類似の表現で示す図である。
【図９】本発明の枠組の中で実現される監視ユニットの内部で監視する一例の機能ブロック図/信号流れ図を示す簡易化された概略図である。
【図１０】本発明の枠組の中で実現され得る、検査され、かつ/または試験されるべきデバイスの上に密閉して取り付ける監視ユニットの変形形態を示す簡易化された概略図である。
【図１１】検査され、かつ/または試験されるべきデバイスとしてのガスボンベ式スプレーと協働する、本発明の枠組の中で実現され得る監視ユニットのさらなる実施形態を、図5、図6、図8と類似の表現で示す図である。
【図１２】監視ユニットの、さらなる実施形態の図5、図6、図8、図11と類似の表現と、検査され、かつ/または試験されるべきデバイスとの協働とを示す図である。
【図１３】本発明の枠組の中で実現され得る、検査され、かつ/または試験されるべきデバイスと協働する監視ユニットのさらなる実施形態を、図5、図6、図8、図11、図12とのさらなる類似の表現で示す概略図である。
【図１４】本発明の枠組の中で実現され得る、検査され、かつ/または試験されるべきデバイスと協働する監視ユニットのさらなる実施形態を、図5、図6、図8、図11、図12とのさらなる類似の表現で示す概略図である。
【図１５】本発明の枠組の中で実現され得る、検査され、かつ/または試験されるべきデバイスと協働する監視ユニットのさらなる実施形態を、図5、図6、図8、図11、図12とのさらなる類似の表現で示す概略図である。
【図１６】本発明による装置の一実施形態の、本発明による運転方法を、(a)、次いで(b)、次いで(c)といった3つの時間的段階で示す簡易化された概略図である。
【図１７】今日実現された、本発明による装置および本発明の方法を動作させることを示す簡易化された概略図である。
【図１８】図17の今日装置に取り付けられた監視ユニットおよび方法を信号流れ図/機能ブロック図によって示す簡易化された概略図である。
【図１９】たとえば図17および図18の実施形態で実現された、検査され、かつ/または試験され得るガスボンベ式スプレーと協働する監視ユニットの一実施形態をより詳細に示す簡易化された概略図である。
【図２０】検査および/または試験のために、たとえば図17から図19の実施形態によって収集された3つの異なる圧力過程を時間軸に対して示すグラフである。
【発明を実施するための形態】
【０１１０】
図1は、本発明による装置の一実施形態を信号流れ図/機能ブロック図によって示し、それによって本発明による方法を示す、簡易化された概略図である。
【０１１１】
検査され、かつ/または試験されるべきデバイス1が、コンベヤ3によって、取付けユニット5uの取付け領域5aへとインラインで搬送される。コンベヤ3は、次に、デバイス1を、取付けユニット5uに対して、取付けユニット5uとの位置合わせの場所へと搬送する。
【０１１２】
コンベヤ3は、星形コンベヤ、ベルトコンベヤでよく、または星形およびベルトコンベヤの組合せ、またはデバイス1をインラインで搬送するための何らかの他のタイプの既知のコンベヤの組合せを備えてもよい。
【０１１３】
コンベヤ3によってインラインで搬送されたデバイス1のうち少なくとも1つのデバイス1aに対して、またはその上に、取付けユニット5uによって、取付け領域5aにおいて、監視ユニット7が取り付けられる。デバイス1に含まれるデバイス1aに対して、またはその上に、監視ユニット7を取り付けたものが、コンベヤ9によって、取付け領域5aから取外しユニット11uの取外し領域11aへと搬送される。コンベヤ9は、次に、デバイス1を、取外しユニット11uに対して、取外しユニット11uとの位置合わせの場所へと搬送する。取外しユニット11uによって、デバイス1aから、またはデバイス1aの上から、以前に取り付けられたそれぞれの監視ユニット7が取り外される。
【０１１４】
コンベヤ9は、1つまたは複数の星形コンベヤとして任意のタイプの既知のコンベヤを備えてよいが、1つまたは複数の優れた実施形態では、後に述べるベルトコンベヤを備える。
【０１１５】
図1に概略的に示されるように、取外しユニット11uによって取外し領域11aにおいて取り外された監視ユニット7は、コンベヤ13によって、取付けユニット5uの取付け領域5aへと搬送して戻される。
【０１１６】
全体的な方法が、したがって全体的な装置が、制御ユニット15によって制御され、かつタイミングをとられ、それによって、図1に示されるように、特に1つまたは複数の監視ユニット7が制御され、かつタイミングをとられる。
【０１１７】
監視ユニット7は、一方では、前述のように、デバイス1のうちの1つに対して、またはその上に、取外し可能に取り付けられるように適合されており、加えて、監視ユニット7が取り付けられているデバイス1aからの情報および/またはデバイス1aによってもたらされる情報を収集して、場合によっては保持するように適合されている。監視ユニット7が、そのような情報を収集して場合によっては保持することの様々な例を後に述べる。図1において、包括的に、情報の収集は矢印COLによって表され、情報の保持は、それぞれの監視ユニット7の保持ユニットHOLによって表されている。
【０１１８】
監視ユニット7は、取付けユニット5uから取外しユニット11uへの時間の少なくとも一部分を通じて、スタンドアロンの動作モードで動作する。図1では、コンベヤ3、9および13の動きに対して静止している部分およびユニットは、Bのようにハッチングで表されていることに注意されたい。さらに、図1の監視ユニット7aは、図1の17において概略的に表されるようなエネルギー伝達のための何らかの結線接続が取り外されたとき、スタンドアロンのモードで動作することに注意されたい。
【０１１９】
図1にさらに示されるように、デバイス1、またデバイス1aに対して、またはその上に監視ユニット7を取り付けたものが、期間TAppl.中に、コンベヤ9によって、取付けユニット5uの取付け領域5aから、取外しユニット11uの取外し領域11aにおける位置合わせの場所に搬送される。監視ユニット7aによって概略的に示されるように、期間TAppl.の少なくとも一部分の間、監視ユニット7は、図1に示されるように、期間TSAだけスタンドアロンの動作モードで動作する。この期間TSAは、必要に応じて延長されてよく、たとえばデバイス1aからの監視ユニット7の取外しも含み得る。前述の期間TSAは、たとえばTAppl.の始端から始まってよく、さらにその前から始まってもよく、したがって、取付けユニット5uによる、取付け領域5aにおけるそれぞれのデバイス1aへの監視ユニット7の取付けを含むようにさらに延長される。
【０１２０】
監視ユニット7は、監視ユニット7が取り付けられているそれぞれのデバイスからの情報またはそれぞれのデバイスによってもたらされる情報を収集し、場合によっては保持するように適合されている。監視ユニット7は、コントローラユニット15によって、期間TCOLを開始したり終結したりするように制御され、前述の情報は、期間TCOL中に、監視ユニットによってCOLの方向に収集され、場合によっては監視ユニット7のHOLに保持される。監視ユニット7によってそのような収集が遂行される期間は、図1のTCOLによって指定される。いずれにせよ、前述の期間TCOLの少なくとも一部分はスタンドアロンの期間TSAの一部分であり、スタンドアロンの期間TSAは、図1に示されるように、取付け期間TAppl.の範囲内にある。しかしながら、前述の収集期間TCOLは、図1の破線で示されるように延長され得る。
【０１２１】
監視ユニット7が有する出力によって、監視ユニットのHOLに場合によっては保持されている情報が、受信ユニット19に伝送され、受信ユニット19は、Bで示されるように、コンベヤ3、9および13に対して静止している。監視ユニット7からの情報の伝送は、スタンドアロンの期間TSAの外部で遂行される場合、破線で示されるように20aの結線において遂行されてよい。優れた実施形態では、この伝送の少なくとも一部分は、20bにおけるワイヤレス伝送によって示されるように、スタンドアロンの期間TSAの範囲内に遂行される。この場合、監視ユニット7がワイヤレス送信ユニットを備え、受信ユニット19がワイヤレス受信ユニット(図1には示されていない)を備える。受信ユニット19が有する出力19oは、評価ユニット21の入力21iに対して運転可能に接続されている。評価ユニットは、それぞれのデバイス1aの検査および/または試験の結果を出力21oにおいて出力する。そのような結果に依拠して、取外しユニット11uの取外し領域11aの下流における、それぞれのデバイスのさらなる処理をどのようにすべきか選択される。
【０１２２】
図1の取付け期間TAppl.の間、デバイス1aに対して、またはその上に監視ユニット7aが取り付けられ、デバイス1、特にデバイス1aの取扱いは、図2から図4の状況において述べることにする。図2によれば、図1の状況において述べたように、取付けユニット5uにおいて、デバイス1に対して監視ユニット7が取り付けられている。監視ユニット7a付きのデバイス1aは、場合によっては監視ユニットを伴わないデバイス1と一緒に、コンベヤ9aによって、遅延ユニット10へと後続のデバイス1/1aの速度raで搬送される。遅延ユニット10では、少なくとも監視ユニット7a付きのデバイス1aに関する搬送の速度またはスピードは、所定の搬送経路に沿って、入力速度raよりも低下され、またはゼロにさえ下げられ、その場合、遅延ユニット10の内部で、監視ユニット7a付きのデバイス1aが完全に停止しており、したがって静止していることを意味する。遅延ユニット10の下流で、監視ユニット7aが付いたままのデバイス1aが、遅延ユニット10から、図1による取外しユニット11uへと搬送される。したがって、遅延ユニット10によって、全体の取付け期間TAppl.が必要に応じて柔軟に調整され、特に、監視ユニット7a付きのデバイス1aが取外しユニット11uから取付けユニット5uの間を一定速度で搬送されている場合には必要となる長い搬送経路を必要とすることなく延長される。
【０１２３】
図2にさらに示されるように、取付け期間TAppl.に関して、好ましくはスタンドアロンの期間TSAに含まれる期間を通じて、それぞれの監視ユニット7aを伴うデバイス1aは遅延ユニット10の内部にあり、収集期間TCOLは、好ましくは期間TSAのその部分を含む。好ましくは、デバイスおよび監視ユニットが遅延ユニット10にとどまる期間は、期間TSAおよびTCOLに含まれる。
【０１２４】
それによって、監視ユニット付きのデバイスが遅延ユニット10内にある期間は、そのような情報がさらに必要なとき、それぞれの監視ユニット7aによって情報を収集するのに特に利用される。前述のように、遅延ユニット10の下流では、結合されたデバイス1a/監視ユニット7aが、コンベヤ9bによって入力速度raで搬送される。
【０１２５】
図3によれば、デバイス1は、全体の装置において少なくとも実質的に同一の位置にある、結合された取付けユニット5u/取外しユニット11uの中へ搬送される。到達するワークピース1は、矢印iで概略的に示されるように、監視ユニット7を装着され、結合された取付けユニット5u/取外しユニット11uを去って、所望の長さおよび所望の搬送速度のコンベヤループ上で、結合された取付けユニット5u/取外しユニット11uに戻され、ここで、それぞれの監視ユニット7は、図3の矢印oによって示されるように、デバイスから取り外される。結合された取付けユニット5u/取外しユニット11uの下流で、デバイス１は、取付けユニット5u/取外しユニット11uへの入力搬送速度riに等しい搬送速度roで取り去られる。
【０１２６】
期間Tappl、TSAおよびTCOLに関して、図1および図2の状況で述べたのと同じことが言える。
【０１２７】
図4の実施形態では、デバイス1は、図1によるコンベヤ3によって、取付けユニット5u/遅延ユニット10/取外しユニット11uへの入力速度riで搬送される。遅延効果(retarder effect)が、それぞれの監視ユニット7a付きのデバイス1aを、取付け期間TAppl.を通じて静止状態に保つことによってここで実現されている。したがって、ユニット5u/ユニット10/ユニット11uに供給されたデバイス1は、概略的に示されるように、分配ユニット12iによって様々な位置に分配され、静止状態に保たれたデバイス1に対してそれぞれの監視ユニット7が取り付けられる。所望の取付け期間TAppl.が経過した後、依然として静止している前述のデバイスからそれぞれの監視ユニット7aが取り外され、次いで、デバイス1は、出力再分配ユニット12oによって、入力速度riと等しい出力速度roで出力コンベヤ16上に再分配される。
【０１２８】
図5および図6は、監視ユニットの2つの実施形態を最も一般的な態様の下で最も概略的に示すものである。デバイス1aが、試験され、かつ/または検査されることになる。試験は検査を含み、その逆もあり得るが、むしろ検査は光学的画像検査と理解され、一方、試験はデバイスに対するある種の測定と理解される。
【０１２９】
図5の実施形態によれば、監視ユニット27は、検査され、かつ/または試験されるべきデバイス1aに対して、またはその上に、取付け期間TAppl.中に取外し可能に取り付けられるように構成されている。それによって、監視ユニット27がデバイス1aに取り付けられて、一体になって移動するユニット271aを形成する。監視ユニット27は、デバイス1aからの情報Iまたはデバイス1aによってもたらされる情報を収集するように適合されている。一例として、そのような情報Iはデバイス1aの光学的外観でよい。そのような場合、前述の情報Iは、そのようなデバイスからの情報である。他方では、そのような情報Iは、たとえばガスの圧力値またはガス種のように、デバイス1aの周囲に存在し得、デバイスによってもたらされるものである。
【０１３０】
監視ユニット27は、図5に概略的に示されるように、収集ユニット25によって情報Iを収集して保持ユニット23に保持する。保持ユニット23は、保持している情報を、その出力23ｏから、出力27ｏにおいて概略的に示されるように監視ユニット27の外部への伝送を可能にするように適合されている。保持ユニット23は、保持ユニット23の入力23iにおいて示されるように、収集ユニット25に対して運転可能に接続されている。
【０１３１】
図5の実施形態によれば、監視ユニット27は、検査され、かつ/または試験されるべきデバイス1aに対して取外し可能に取り付けられる。
【０１３２】
図6に概略的に示される監視ユニット327の実施形態の、図5の監視ユニット27との差異は、図6によれば、そのような監視ユニット327が、たとえば図1のコンベヤ9上に存在するデバイス1aの上に取外し可能に取り付けられることである。優れた実施形態では、それによって、デバイス1aと監視ユニット327の間に隙間324が画定される。
【０１３３】
図5ならびに図6にさらに示されるように、収集ユニット25/325の出力が監視ユニット27/327の出力27o/327oに対して直接供給されてよい。この場合、情報Iは、収集ユニット25/325によって収集されるのと実質的に同時に図1の受信ユニット19に送信される。したがって、図1の制御ユニット15は、出力27o/327oから受信ユニット19への伝送が可能なとき、すなわち、受信ユニット19の少なくとも一部分が、監視ユニット27/327およびそれぞれのデバイス1aの暫時の位置に隣接して配置されたとき、この場合は監視ユニット27/327における情報Iの収集を制御する。監視ユニット27/327およびそれぞれのデバイス1aが受信ユニット19のその部分に隣接したとき、制御ユニット15によって情報Iの収集が開始される。図5および図6において、制御入力15cは、図1の制御ユニット15に対する監視ユニット27/327の実効的な制御接続を示す。
【０１３４】
図5、図6に概略的に示されるように、スイッチSにより、たとえば制御ユニット15による制御で、収集された情報Iの一部分を保持ユニット23/323に保持すること、および、収集ユニット25/325から出力27o/327oに情報を直接導くことが完全に可能である。したがって、検討中の監視ユニット27/327では、すべての収集された情報Iが保持ユニット23/323に保持され、次いで出力27o/327o経由で伝送され、または、収集ユニット25/325によって収集された情報Iが、伝送されるべき出力27o/327oに直接供給される。あるいは、1つの監視ユニット27/327においてどちらも可能であって、それぞれの可能性の選択が、たとえば図1の制御ユニット15によって制御される。
【０１３５】
図1の状況において、受信ユニット19の出力に対して運転可能に接続された評価ユニット21が説明されてきた。図5および図6に破線で示されるように、図1の遠隔の据置き型評価ユニット21の代わりに、監視ユニット27/327の中に評価ユニット21a/321aが設けられてよく、または、図1の据置き型評価ユニット21に加えて、監視ユニット27/327の中に評価ユニット21a/321aが設けられてもよい。そのような組み合わせた解決策は、たとえば可能性試験に基づいて、前評価のために、たとえば監視ユニット27/327の中の評価ユニット21a/321aを利用してよく、最後の決定的な評価ユニットとして遠隔の据置き型評価ユニット21を利用してよい。
【０１３６】
図7には、監視ユニット7a付きのデバイス1aが簡易化して概略的に示されている。監視ユニット7aは、図5の収集ユニット25または図6の収集ユニット325を備え、その出力は、概略的に示されるように、図1の制御ユニット15からワイヤレス入出力ユニット8への制御入力15cによって制御されたサンプリングスイッチQによってワイヤレス伝送入出力ユニット8に直接導かれている。図7は、取付け期間TAppl.の間の、(a)から(e)の様々な位置における、監視ユニット7aを伴う前述のデバイス1aを示す。位置(a)ではサンプリングスイッチQが開かれる。位置(b)では、デバイス1aを伴う監視ユニット7aがワイヤレス受信ユニット719(b)に隣接している。サンプリングスイッチQが閉じられ、収集ユニット25/325からの情報がワイヤレス伝送入出力ユニット8に供給されて、たとえば図1の受信ユニット19の一部分であり得るワイヤレス受信ユニット719(b)によって受信される。
【０１３７】
位置(c)では、ユニット719(b)による監視ユニットに隣接したワイヤレス受信ユニットが存在しないので、サンプリングスイッチQが再び開かれる。同様に、ワイヤレス受信器ユニット719(d)が存在する位置(d)ではサンプリングスイッチQが閉じられ、位置(e)で再び開かれる。
【０１３８】
図7は、このように、監視ユニットの内部で情報の保持または記憶が遂行されないとき、監視ユニットから情報が読み出される様子を例示的に示すものである。
【０１３９】
少なくとも収集期間TCOL中に監視ユニット27/327(図5、図6)が収集する前述の情報Iの少なくとも一部分が、場合によっては27o/327oにおける後の出力のために保持ユニット23/323に保持され、監視ユニット27/327は、スタンドアロンの動作モードSAで動作する。
【０１４０】
本発明によって本発明の範囲内で使用される監視ユニットは、一方では特定のデバイスの検査および/または試験の特定ニーズに適合され、他方では様々なデバイスの特性に従って、多数の異なる変形形態において構成され得る。
【０１４１】
次に、監視ユニットの少数の例を示して手短に論じる図5、図6による変形形態では、収集された情報Iは監視ユニットに保持されるかまたは記憶され、その後、情報Iに依拠する情報が据置き型受信ユニットに伝送される。
【０１４２】
図8に概略的に示される監視ユニット427は、デバイス1aを、密閉された環境において圧力pを監視することによって試験するように適合されている。
【０１４３】
図8によれば、監視ユニット427は、そのようなデバイス1aと監視ユニット427の間に隙間424を残してデバイス1aの上に取り付けられるように成形されている。監視ユニット427の内部にコンパートメント428が設けられており、隙間424に通じる制御入力428iおよび制御出力428oを有する。収集ユニット425が備える圧力センサ機構429は、保持ユニット423に対して運転可能に接続されており、隙間424の圧力pを感知する。保持ユニット423は、圧力センサ機構429の出力信号に依拠する多数のデータを記憶するための電子記憶装置であるか、またはその電子記憶装置を備える。図9に概略的に示されるように、監視ユニット427は、圧力センサ機構429の出力のサンプリングを制御する電子クロック521を備え得る。コンバータユニット530はAD変換を遂行する。それぞれのサンプル値は、電子記憶装置によって実現された保持ユニット423に記憶される。時間にわたる圧力pの過程p(t)がサンプリングされて、保持ユニット423に記憶され得る。
【０１４４】
図8によれば、監視ユニット427が電源ユニット426をさらに備えることにより、監視ユニット427の中の給電されるユニットのすべて、制御可能な弁430a/430b、図9の電子ユニット521、530、423など、場合によっては収集ユニット429も、動作が可能になる。電源ユニット426はバッテリー機構でよく、または優れた実施形態では、再充電可能な電池ユニットもしくはキャパシタユニットである。バッテリーユニットまたはキャパシタユニットの再充電または充電は、監視ユニット427のスタンドアロンの動作モードSAを開始する前にユニット426を充電器ユニットに有線接続すること、または、特にそのような充電が期間TSA中に遂行される場合、再充電可能な電池ユニットまたはキャパシタユニットをたとえば誘導充電といった非接触充電によって電源ユニット426を充電すること、のいずれかによって遂行される。電源ユニットの充電または再充電は、特にスタンドアロンの期間TSA中に、たとえば延長された誘導ループへの進行中の誘導リンクにより、また、特に監視ユニットの電力消費が比較的大きい場合、継続しているプロセスであり得る。しかしながら、包括的には、電源ユニット426のワイヤレス充電は、スタンドアロンの期間TＳＡの前および/または後にも遂行されてよい。
【０１４５】
スタンドアロンの期間TSAが開始する前に、コンパートメント428は、入力428iに接続された真空ポンプ(図示せず)によって真空引きされる。デバイス1aの上に監視ユニット427が取り付けられる。このときから、スタンドアロンの期間TSAが開始され得る。コンパートメント428よりも容積が小さい隙間424も、弁430bを開くことによって、コンパートメント428の前もって真空引きされたレベルの近くまで同様に真空にされる。隙間424を真空にすることにより、監視ユニット427は、図8に概略的に示されるように、デバイス1aのための支持体9cに対して、シール432によってさらに密閉して押しつけられる。スタンドアロンの期間TSA中に弁30bを開く場合には、弁430bへの制御信号が、監視ユニット427(図示せず)に対してワイヤレスで伝送される。明らかに、スタンドアロンの期間TSAが始まる前に弁430bを開くことも可能である。次いで、弁430bへの制御信号が、監視ユニット427への結線で与えられてよい。
【０１４６】
収集期間TCOLは、たとえばシール432による適切な密閉を確認するために、隙間424の圧力過程も真空排気中の関連情報であるかどうかということに依拠して、隙間424を真空にする前または後に開始されてよい。隙間424の真空排気が期間TSAを開始する前か後かということに関係なく、監視ユニット427は、真空排気に続くスタンドアロンの期間TSAの少なくとも一部分の間に作動され、それによって、そのような一部分が、意図された試験に関して十分に長い時間にわたって圧力過程を記録するように選択される。デバイス1aが、漏れ試験される閉じた容器である場合、容器に漏れがあると、隙間424の圧力pにかなりの変化が生じるはずで、漏出性の指標となり、保持ユニット423による電子記憶装置に保持される圧力過程の後続の評価において認識されることになる。圧力過程は、たとえば図1の評価ユニット21および/または監視ユニット427の中の図5の評価ユニット21a/図6の評価ユニット321aにおいて評価される。
【０１４７】
デバイス1aのような閉じた容器が強く加圧されている場合には、隙間424を真空にしなくてもよい。この場合、および/またはスタンドアロンの期間TSA中に隙間424の真空排気が必ずしも遂行されない場合には、コンパートメント428が省略され得る。後者の場合、隙間424は、スタンドアロンの期間TSAを開始する前に、ポンピングラインを取り付けることによって直接真空にされる。再び、収集期間TCOLは、スタンドアロンの期間TSAの前に既に開始されていてよく、またはTSAの開始後にのみ開始されるのでもよい。
【０１４８】
デバイス1aの周囲に、内部の圧力よりも高い圧力を与えることによって試験する場合、コンパートメント428が加圧され、弁430bを開くことによって隙間424も加圧される。
【０１４９】
図10によれば、シーリング動作が逆になり、シール部材432'によって実現される。
【０１５０】
図11は、図5、図6の監視ユニットに類似の監視ユニット727がデバイス1aに取り付けられた様子を概略図に示すものである。図8の実施形態に似て、デバイス1aのまわりの容積724の圧力pが監視され、電子記憶装置723によって実現された保持ユニットに保持される。図11の監視ユニット727は、図8の実施形態とは反対に、デバイス1aの一部分のみを試験するものである。デバイス1aは、たとえばガスボンベ式スプレーでよく、噴霧弁出力を伴う頂部730の漏出性が試験される。732において概略的に示されるように、監視ユニット727は、ガスボンベ式スプレーデバイス1aの頂部に密閉して取り付けられている。ガスボンベ式スプレーデバイス1aの上部分730と監視ユニット727の間に隙間724が形成される。隙間724の圧力pが、圧力センサ機構729を備える収集ユニット725によって監視される。圧力センサ機構729の出力が、電子記憶装置723の入力に対して運転可能に接続されている。
【０１５１】
図8の状況で説明されたように、たとえば図9による技術によって情報の収集および保持が遂行される。
【０１５２】
監視ユニット727は、図8のユニット426と類似の電源ユニット726によって給電される。
【０１５３】
図8の実施形態と同様に、デバイス1aの内部圧力が周囲の圧力よりも高ければ、隙間424に従って隙間724を真空にする必要性はない。デバイス1a内のそのような超過圧力が十分でない場合には、図11に示されるように、図8と同様に、スタンドアロンの期間TSAに先立って所定の真空に引かれるコンパートメント728が設けられ、スタンドアロンの期間TSAの開始の前または後に、隙間724に対して制御可能に流れ連絡される。図8の状況で説明されたように、圧力pの過程p(t)が収集ユニット725の圧力センサ機構729によって感知され、それぞれのデータが電子記憶装置または保持ユニット723に保持される。監視ユニット727は、少なくともスタンドアロンの期間TSA中に、電源ユニット726、バッテリー機構、または、たとえば誘導充電によって非接触で再充電可能な、または充電ケーブルもしくは充電ワイヤによって再充電可能な、電池ユニットもしくはキャパシタユニットよって給電される。
【０１５４】
図11に示されたような、監視ユニット727の特定の用途については、デバイス1aの内部圧力よりも高い圧力を隙間724に加える必要性があり得る。そのような場合、隙間724は、スタンドアロンの期間TSAの開始の前に、過圧コンパートメント728によって、または加圧ライン(図11には示されていない)によって直接的に超過圧力をかけられる。
【０１５５】
図8〜図11に示された実施形態は、デバイス1aの周囲のガス圧に関する情報を収集することに基づくものであり、恐らく製品で満たされている閉じた容器の漏れ試験に特に適するものである。しかしながら、図1の監視ユニット7を、開いた容器の漏れ試験に適合させることも可能である。そのような場合には、それぞれの監視ユニットが、容器の開口に密閉して取り付けられる。図8〜図11による実施形態と同様に、容器の内部が加圧され、加圧後に容器内部の圧力過程が監視されて、それぞれの情報が保持される。
【０１５６】
前述のように、検査され、かつ/または試験されるデバイスのタイプに依拠して、デバイスからの情報および/またはデバイスによってもたらされる情報を収集するための多種多様な技術が可能である。本発明の状況において利用されるそのような監視ユニットのすべての実施形態において、監視ユニットがスタンドアロンの動作モードで動作する期間TSAの少なくとも一部分を含んでいる所定の収集期間を通じて、情報が収集され、場合によっては、さらなる評価のために、たとえば監視ユニットの内部の電子記憶装置(electronic storing)によって保持される。
【０１５７】
包括的には収集された情報に依拠する情報が監視ユニットに保持されるかまたは記憶される場合、図1の受信ユニット19に記憶された情報に依拠する情報は、デバイスから監視ユニットが取り外された後にさえ伝送され得るという事実が注目される。
【０１５８】
図12によれば、特定ガス種を含む加圧ガスを含んでいる閉じた容器であり得るデバイス1aの上に、監視ユニット827が取り付けられる。隙間824は、必要に応じて(if at all necessary)、結線されたポンピングラインによる外部ポンプの動作を隙間824に適用することにより、または、図11の実施形態の状況で説明されたように、図11の実施形態のコンパートメント728と類似の、あらかじめ真空にされたコンパートメントを用意することにより、真空にされる。
【０１５９】
隙間824は、ワイヤレスまたは結線で制御される弁832によって、保持コンパートメント833との間に、制御された流れ連絡がある。閉じた加圧容器1aに漏れがあると、前述のガス種を有するガスが隙間824に流れ込み、開いた弁832を通って保持コンパートメント833にも流れ込むことになる。隙間824のガスが保持コンパートメント833に流れ込むことにより、デバイス1aによってもたらされるデバイス1aの漏出性に関する情報が保持コンパートメント833の内部で収集される。所定の収集期間TCOLの後、弁832が、スタンドアロンの期間TSA中であれば、監視ユニット827に対してワイヤレスで伝送される制御信号によって、スタンドアロンの期間TSAでなければ、結線された制御信号によって、閉じられる。したがって、隙間824内のガスの前述のガス種の内容の収集された情報が、保持コンパートメント833に保持されることになる。
【０１６０】
この情報は、図1に従って、スタンドアロンの期間TSAの後、保持コンパートメント833と、たとえば質量分光計といったガス分析器であるかまたは同ガス分析器を含んでいる評価ユニット21の入力とが流れ連絡して、評価ユニット21に供給される。前述のガスの評価ユニット21への流れ連絡は、保持コンパートメント833の出力ラインの弁834を開くことによって確立される。これは、図1の評価ユニット21の入力への流れ連絡が確立されたとき、どんな場合でも遂行されるので、それぞれの弁834は、監視ユニット827に対して結線された信号伝送路(図8には示されていない)によって制御される。
【０１６１】
この場合、図1の受信ユニット19は事実上省略されてよく、または図12の835において破線で示されるような監視ユニット827から評価ユニットへの流れ連絡ラインによって実現されると言ってもよい。
【０１６２】
この技術によって、隙間824の前述のガス種の内容が、弁832が閉じられたときの情報として収集されて図1の評価ユニット21に伝送される。
【０１６３】
前述のガス種が隙間824に長時間にわたって蓄積する過程に関する情報を収集して保持することが望まれる場合、保持コンパートメント833に類似の複数の保持コンパートメントが監視ユニット827に用意され、そのような保持コンパートメントは、後に、それぞれの保持コンパートメントへの、弁832との類似の制御弁を、それぞれ続いて閉じることによって、隙間824からのガスで装填される。次いで、これらのコンパートメントのそれぞれが、隙間824へのそれぞれの弁が閉じられた時点の、隙間824のガスにおける前述のガス種の量に関する情報を保持する。複数の保持コンパートメントに保持された情報は、図1の評価ユニット21へのそれぞれの複数の流れ連絡ラインによって、それぞれ制御される図12の弁834と類似の弁、または流れラインマルチプレクサを介して伝送される。
【０１６４】
図12の実施形態は、監視ユニットにおいて収集され、場合によっては保持されて、本発明において、本発明によって利用される「情報」は、その広義語において、たとえばガス圧、ガス種の含有量ばかりでなく温度値、外観、照射に対する反応、インピーダンス、力などのような物理的信号の形式で収集され、場合によっては保持され得るものと解釈されることを示すものとする。
【０１６５】
図13は、デバイス1aに対して監視ユニット927を取り付けた様子を、図11または図12に類似の表現で概略的に示すものである。収集ユニット925は、カメラ記号で概略的に示されるように画像センサ機構を備え、これによって、デバイス1aの光学的外観の画像記録または映像記録が可能になる。これは、検査および/または試験のための特定ニーズに従って、それぞれのデバイス1aによって、可視光のスペクトルおよび/または赤外線光スペクトルのような非可視光のスペクトルで行われてよい。
【０１６６】
ここまでに十分説明されてきたように、収集ユニット925によって収集された画像または映像の情報は、図11の保持ユニット723に類似の、図13実施形態では電子記憶ユニットである保持ユニット923に保持される。図13には示されていないが、明らかに、図11の実施形態の電源ユニット726のような電源ユニットが設けられており、監視ユニット927に対する外部からの制御信号は、スタンドアロンの期間TSA中であるか否かということに依拠して、結線または無線接続のいずれかによって伝送される。
【０１６７】
図14の実施形態では、収集ユニットは、たとえばX線源といった放射源1028および放射線受信器1029を備える。デバイス1aに監視ユニット1027を取り付けることにより、デバイス1aは、放射源1028と放射線受信器1029の間に配置され、したがって、それぞれ透過性のデバイス1aを通る放射Rの伝送に対するデバイス1aの反応に関する情報をユニット1030において収集して保持することにより、検査され、または試験される。
【０１６８】
図15に概略的に示される実施形態では、監視ユニット1127は収集ユニットとして温度センサ機構1128を備え、収集された温度情報は、必要に応じて、これも電子記憶装置である保持ユニット1130に保持される。
【０１６９】
これらの例は、本発明によって利用される監視ユニットが、様々なデバイスのそれぞれの検査および/または試験の様々なニーズの広い範囲に適合するように構成され得ることを当業者に示すものである。
【０１７０】
図16(a)〜図16(c)は、本発明による方法およびそのような方法を遂行する装置の、異なる時間t1〜t3における3つの状態を、簡易化して概略的に示すものである。コンベヤ1203上で、デバイス1201が、取付け領域1205aの方へ経路に沿ってインラインで搬送される。取付け領域1205aでは、監視ユニット1227は、コンベヤ1203上のデバイス1201の動きに対して静止している待機位置に存在する。この位置に、図5から図15の状況で説明された実施形態の監視ユニット1227が、次の動作のために必要に応じて準備され得る。それによって、監視ユニット1227には、たとえば監視ユニット1227の電源を充電器に接続する充電ケーブル、圧力源への圧力ライン、または真空源への真空ラインなどによる包括的な結線接続1252がなされてよい。デバイス1201のうちの1つが取付け領域1205aに移動されると直ちに、監視ユニット1227が、その静止位置から解放されて、図16(a)の破線で示されるように、デバイス1201のうちの1つ1201aに取り付けられる。優れた実施形態では、少なくとも、事実上取付け期間TAppl.が始まるこのときから、監視ユニット1227はスタンドアロンの動作モードSAで動作する。監視ユニット1227は、それぞれのデバイス1201aと一緒に1つのユニットを形成して、たとえば、場合によってはコンベヤ1203の継続であり得るコンベヤ1209上の取付け領域1205aから移動する。下流では、デバイス1201aおよび監視ユニット1127の組み合わせたユニットが、場合によっては図2の遅延機構10を経由して取外し領域1211aへと搬送される。この領域においてデバイス1201aから監視ユニット1227が取り外され、デバイス1201aは、コンベヤ1210の方へ搬送され続け、コンベヤ1210もコンベヤ1209によって同様に実現され得る。取り外された監視ユニット1227(図16(c))は、デバイス1201の動きに対して再び静止状態になり、図16(c)の出力矢印1256によって示されるように、この装置の静止要素に対して結線接続されてよいが、スタンドアロンのモードSAでさらに動作してもよい。
【０１７１】
しかしながら、監視ユニット1227がスタンドアロンの動作モードSAで動作する軌跡は、図16に示された好例として、取付け領域1205aから取外し領域1211aへの経路を辿る。これは、TSAがTAppl.と一致することを意味する。スタンドアロンの期間TSAは、監視ユニット1227が、インラインで搬送されるデバイス1201に対するその静止位置から解放されるとき、少なくとも実質的に開始する。収集期間TCOLが開始するのは、取付け領域1205aにおける監視ユニット1227の、そのような解放の前、解放と同時、またはその後でよい。
【０１７２】
収集期間TCOLは、いずれにせよスタンドアロンの期間TSAの少なくとも一部分を含んでおり、取付け期間TAppl.の、取付け領域1205から取外し領域1211aへの範囲に依拠するものである。
【０１７３】
この期間TAppl.がより長く選択され、したがってTCOLがより長く選択され得ると、監視ユニット1227は、したがって、デバイス1201aからの情報またはデバイス1201aによってもたらされる情報を、より長い期間にわたって収集し得、場合によっては保持し得る。収集期間TCOLが、少なくともその本質的部分がスタンドアロンの期間TSAである取付け期間TAppl.によって制限されるので、TAppl.は主として期間TCOLを制限する期間である。しばしば、情報の収集期間および場合によっては保持期間TCOLをより長く選択すると、試験または検査の結果がより正確になる。たとえば、図11の実施形態により、図16によるデバイス1201が、漏れ試験される加圧されたガスボンベ式スプレーであれば、非常に小さな漏れを検出することになり、これは、有意な圧力情報を得るために比較的長い期間TCOLを必要とする可能性がある。
【０１７４】
TAppl.は、TCOLに関するニーズに対して柔軟に適合され得る。より長い収集期間TCOLが必要であればTAppl.が延長され、その逆も成立する。それによって、この期間TAppl.には監視ユニットとこの装置の固定部品との間に結線接続が存在しないスタンドアロンの期間TSAの少なくとも一部分が含まれるので、取付け期間TAppl.は柔軟に適合可能である。
【０１７５】
したがって、優れた実施形態では、取付け領域1205aと取外し領域1211aの間のコンベヤまたは複数のコンベヤ1209の機構は、少なくとも1つのベルトコンベヤを備え、このコンベヤは、たとえばコンパクトな蛇行性のベルト搬送経路を確立することにより、少なくとも1つのベルトコンベヤを長くしたり短くしたりすることによって、TAppl.を柔軟に調節することが可能なタイプである。監視ユニットは、そのような柔軟に適合されたコンベヤに沿って、スタンドアロンのモードSAで動作する。
【０１７６】
収集期間TCOLは、スタンドアロンの期間TSAが終わる前に終わってよい。図16を念頭に置いて、これは、監視ユニット1227がこの装置の静止要素に対して結線接続される前に情報収集が終わる場合のことである。別の変形形態では、収集期間TCOLは、スタンドアロンの期間TSAの後に終結してもよく、これは、監視ユニットに結線接続が取り付けられる場合、取付け中、および場合によっては取付け後の挙動についての情報を収集するように、情報収集が継続する場合のことである。スタンドアロンの期間TSAは、さらには収集期間TCOLを完全に含み得る。この例は、監視ユニット1227が常にスタンドアロンのモードSAで動作する優れた実施形態を対象として含むので、特に興味深いものである。図16に示されるように、監視ユニット1227は、一旦デバイス1201aから取り外されると、次のデバイス1201aに再び取り付けるように、取付け領域1205aへ戻される。本発明の一実施形態では、ここまでに説明されたように、監視ユニット1227は、取付け領域1205aにおいて結線接続され、取外し領域1211aにおいて結線接続を外されることがある。監視ユニットに対する結線接続のそのような着脱は、構成においてむしろ複雑なことがある。監視ユニット1227への結線接続の必要性がなければ、優れた実施形態では、監視ユニット1227は実質的にスタンドアロンの動作モードSAで恒久的に動作する。監視ユニット間のすべての信号伝送は、光学的自由空間伝搬および/またはワイヤレス送信器/受信器の技術による電気信号の伝送のようなワイヤレス技術で遂行される。
【０１７７】
したがって、次いで、監視ユニットの充電式バッテリーユニットまたはキャパシタユニットは、監視ユニットが進路上で誘導式充電スタンドを通過するとき、非接触誘導で充電される。これは、1回もしくは複数回、または図16による監視ユニット1227が走行する全体のループもしくはそのかなりの部分に沿って継続して行われる。収集され、場合によっては監視ユニットの電子記憶装置に記憶された情報の読出しも、次いで、ワイヤレスで遂行される。次いで、制御信号も、監視ユニット1227との間をワイヤレス技術で伝送される。この場合、明らかに、監視ユニットならびにこの装置の静止部分は、それぞれのワイヤレス送信器および受信器を装備しており、監視ユニット1227は、たとえば洗浄またはメンテナンスのサイクルまたは期間を例外として、SAで実質的に継続して動作することができる。したがって、スタンドアロンの期間TSAが収集期間TCOLを越えて包括的に延長する場合、依然としてスタンドアロンで動作している監視ユニット1227から、記憶させた情報をワイヤレスで読み出し、次いで、そのような情報を、遠隔の据置き型評価ユニットにおいて評価して、それぞれのデバイスに対して、またはその上に依然として取り付けられている監視ユニット1227の記憶装置に、たとえば試験の合否に関する情報といった指標をワイヤレスで書くことができる。それによって、依然として監視ユニット1227に取り付けられているデバイス1201aは、その監視ユニット1227のそのような指標によって事実上間接的にマーク付けされる。監視ユニット1227の中のそのような情報に基づいて、試験に合格しなかったデバイスは廃棄されてよく、一方、試験に合格したデバイスは、さらに使用するために目的地へさらに搬送される。
【０１７８】
図16の実施形態によれば、デバイス1201のインラインの流れから、デバイス1201aが、ランダムに、またはたとえば10個毎といった規則的なやり方で、検査および/または試験のために選択されてよい。
【０１７９】
しかしながら本発明の優れた実施形態では、インラインで搬送されるすべてのデバイスが、検査され、かつ/または試験される。それによって、後にインラインで搬送されるデバイスのそれぞれに対してそれぞれの監視ユニットが取り付けられ、たとえばインラインで搬送された取外し領域1211aにおいて、すべてのデバイスからそれぞれの監視ユニットが取り外される。
【０１８０】
図17は、今日実現された、図16に類似の、本発明によるそのような方法の変形形態および本発明による装置のそれぞれの実施形態の表現を簡易化して概略的に示すものである。
【０１８１】
デバイス1301は、コンベヤ1303上で取付け領域1305aへと搬送される。コンベヤ1303は、たとえばベルトコンベヤ、星形車コンベヤなど、任意の適切なタイプでよい。
【０１８２】
取付け領域1305aにおいて、複数の監視ユニット1327が、スタンドアロンの動作モードで動作する準備ができている。図18に概略的に示されるように、監視ユニット1327のそれぞれが、再充電可能な電池またはキャパシタの機構1460を有する電源ユニット1456を備え、これらは、たとえばユニット1456の受信器コイル1462に対して誘導的に伝送される電力信号SPによって誘導的に再充電され得る。取付け領域1305aでは、監視ユニット1327は、充電ユニット1354によって誘導充電される。
【０１８３】
監視ユニット1327は、そこでの充電または再充電の後に、それぞれ、インラインで到達するデバイス1301に対して、またはその上に取り付けられる。監視ユニット1327のそれぞれが、図18に概略的に示されるように、ワイヤレス制御の入力信号SCiのためのワイヤレス伝送ユニット1464をさらに備える。この装置を操作するためのコントローラユニット1310(図17)は、取付け領域1305aにおいて開始の制御信号SCiを生成し、これによって、それぞれのデバイス1301に対して取り付けられる直前の、監視ユニット1327における情報の収集および保持が開始される。それによって、そのような制御信号SCiも、充電ユニット1354によって誘導的に伝送され得る。ワイヤレスで伝送された制御信号SCiは、図9によるシステムクロック521の開始によって、たとえば前述の圧力値として、情報I(図18)のサンプリングおよび収集を起動する。たとえばアナログデジタル変換として適切に変換されたこの情報Iは、この実施形態では、事実上、監視ユニットの保持ユニットを形成する電子記憶ユニット1468に入力される。監視ユニット1327は、前述の起動の瞬間から、それぞれのデバイス1301からの情報、またはそれぞれのデバイス1301によってもたらされる情報を収集して、たとえばサンプルを収集した時間とサンプル値とを連結する表に保持する。
【０１８４】
このときそれぞれの監視ユニット1327が取り付けられているデバイス1301は、1つまたは複数のコンベヤ1370の機構によって搬送され、この機構は、最小限の構造上のボリュームで、長い搬送経路の積重ねを柔軟に可能にするものである。したがって、取付け領域1305aの下流のコンベヤ機構1370は、図17に概略的に示されるようにベルトコンベヤを備え、またはベルトコンベヤから成ることさえあり、そのような長い搬送経路は、比較的小さい構造上のボリュームで実現され得る。それに対して、またはその上に、それぞれの監視ユニット1327が取り付けられているデバイス1301が、コンベヤ機構1303によって取付け領域1305aへと搬送されるのと同一のスピードまたは速度で、コンベヤ機構1370によって移送される。
【０１８５】
各監視ユニット1327は、前述のように起動されて、取り付けられているデバイス1301からの情報またはデバイス1301によってもたらされる情報を収集して保持する。情報検索エリア1372では、読出し起動信号SCoが生成され、検索エリア1372に到達したそれぞれの監視ユニット1327に対してワイヤレスで伝送される。そのような制御信号SCoは、領域1372の中に監視ユニットおよびデバイスの対が到着したのをたとえば光学的に感知することによって生成されてよい。そのような制御信号SCoが、たとえば監視ユニット1327によってワイヤレス伝送の双方向ユニット1464において受信されると、監視ユニット1327の制御ユニット1421は、図18のスイッチQ2によって概略的に示されるように、電子記憶ユニット1468のデータ内容のワイヤレス伝送ユニット1464への伝送を制御する。電子記憶ユニット1468に記憶されている、収集ユニット1367によって感知された収集情報Iを表すデータ内容SＩは、ワイヤレス伝送ユニット1464によって、据置き型の受信および評価のユニット1374(図17)へと出力される。受信および評価のユニット1374では、それぞれのデバイス1372の検査および/または試験の結果が評価される。
【０１８６】
図17に概略的に示されるように、結果R(SM)が生成され、これは、前述のデバイス1301が検査要件および/または試験要件を満たすか否かを識別するマーキング信号SMを含む。マーキング信号SMは、図17に示されるようにそれぞれのデバイス1301に対して、またはそのデバイスの上に依然として取り付けられている監視ユニット1327に対してワイヤレスで与えられる。マーキング信号SMは、たとえばワイヤレス伝送ユニット1464(図18)によって与えられる。それによって、マーキング信号SMは、A/Bによって、図17および図18に概略的に表された2つの状態を許容するマーキングとして、たとえば監視ユニット1327の制御ユニット1421に記憶され、たとえば、「A」は「デバイスが検査または試験を通過した」こと、「B」は「デバイスが検査および/または試験を通過しなかった」ことをそれぞれ表す。それぞれの監視ユニット1327は、図17の下流でマーキング信号SMを与えられ、そのようなマーキング「A」または「B」を伴って示されていることに注意されたい。ここではそれぞれのマーキング「A」または「B」が付いた状態で、依然としてそれぞれのデバイス1301に対して、またはそのデバイスの上に取り付けられている監視ユニット1327の流れが、さらに下流へ伝搬して選択ユニット1380に到達する。選択ユニット1380では、デバイスと監視ユニットのそれぞれの対の到着を、たとえば光学的に検出することにより、監視ユニットのマーキングがワイヤレス受信ユニット1382によって読み取られる。前述のマーキングの読出しの結果が、図17に概略的に表された選択ユニットを、制御信号SA/Bにより、スイッチQ3によって制御する。検査および/または試験を満たさない(B)と認識されたデバイスは不合格にされ、前述の要件を満たす(A)と認識されたデバイスはさらなる利用のために合格する。
【０１８７】
前述の選択が遂行される直前に、監視ユニット1327はデバイス1301から取り外され、図17に送り戻す矢印mによって概略的に示されるように、取付け領域1305aへ戻される。ワイヤレス受信ユニット1382によるそれぞれのマーキングの読出しが、それぞれの監視ユニット1327をそのデバイス1301から取り外す直前または直後に遂行されるという事実のために、次に、監視ユニットを伴わないデバイスが、スイッチQ3によって示されるように適切に選択され得る。選択(Q3)がなされた直後に、それぞれの監視ユニットを取り外すことも可能である。
【０１８８】
図17に示されるように、装置全体の制御ユニット1310は、装置全体の適切なタイミングを制御する。監視ユニット1327は、常にスタンドアロンの動作モードSAである。それぞれの監視ユニット1327における電子記憶ユニット1468、たとえば制御ユニット1421のマーキングなどは、経路mに沿って戻され、そのワイヤレスの双方向伝送ユニット1464によってそれぞれの監視ユニットをリセットするワイヤレスリセットユニットによってリセットされる(図13には図示されていない)。監視ユニットの消費電力が比較的大きい場合、監視ユニット1327の再充電可能な電源ユニットを、図17の1354aにおいて概略的に示されるように、監視ユニットの軌跡経路の主要な部分に沿った誘導ループにより、信号SPによって、たとえば実質的にスタンドアロンの期間SPまたはTSAを通じて長期間充電することが完全に可能である。
【０１８９】
図19は、図17に示されるような実施形態に対して今日適用されるデバイス1301および監視ユニット1327のタイプを示すものである。デバイス1301は漏出性を試験されることになっているガスボンベ式スプレーであり、その頂部に沿って噴霧弁機構1502が取り付けられている。缶デバイス1301(cans 1301)には超過圧力がかかっており、監視ユニット1327の内部の隙間1515を加圧するかまたは真空にする必要性はない。監視ユニット1327の中には監視ユニット1327のすべての電子装置を載せたプリント基板1527に対して絶対圧センサ1505が取り付けられている。
【０１９０】
図20は、絶対圧センサ1505によって収集されて監視ユニット1327の基板1527上の電子記憶装置に記憶された情報として、隙間1515(space 1515)における絶対圧の様々な過程を表すものである。監視ユニット1327がそのシール面1504を用いて缶デバイス1301a上に取り付けられる前に情報I(図18)の収集が開始されるので、圧力ピークPpが出現し、これは、監視ユニット1327が缶デバイス1301に対して適切に取り付けられているかどうかを表すものである。定性的に図20の(a)に従う圧力過程は漏れがある缶を表し、定性的に(b)に従う過程は漏れがない缶を示し、(c)に従う過程は、塗デバイス1301と監視ユニット1327の間のシールに漏れがあることを表す。図20の約30秒で示された収集期間TCOLは、高精度のために、たとえば1秒当り10個のデバイスといったデバイスの高スループット率に対して長いものであることに注意されたい。これは、図17のコンベヤ機構1370によって述べたように、情報の収集および保持のための長い距離を用意するという利点を明らかにするものである。
【０１９１】
制御信号ならびに図14の電子記憶ユニット1468の内容の読出しに関する、監視ユニットとの間のワイヤレス通信技術として、たとえばブルートゥースまたはANTの技術が利用され得る。
【符号の説明】
【０１９２】
1  デバイス
1a  デバイス
3  コンベヤ
5a  取付け領域
5u  取付けユニット
7  監視ユニット
7a  監視ユニット
8  ワイヤレス伝送入出力ユニット
9  コンベヤ
9b  コンベヤ
10  遅延ユニット
11a  取外し領域
11u  取外しユニット
12i  分配ユニット
12o  出力再分配ユニット
13  コンベヤ
15  制御ユニット
15c  ワイヤレス入出力ユニット8への制御入力
16  出力コンベヤ
19  受信ユニット
19o  受信ユニット19の出力
20a  結線
21  評価ユニット
21a  評価ユニット
21i  評価ユニットの入力
21o  評価ユニットの出力
23  保持ユニット
23i  保持ユニットの入力
23o  保持ユニットの出力
25  収集ユニット
27  監視ユニット
27o  監視ユニット27の出力
271a  デバイス1aに監視ユニット27が取り付けられて一体になったユニット
321a  評価ユニット
323  保持ユニット
324  隙間
325  収集ユニット
327  監視ユニット
327o  監視ユニット327の出力
423  保持ユニット
424  隙間
425  収集ユニット
426  電源ユニット
427  監視ユニット
428  コンパートメント
428i  コンパートメントの制御入力
428o  コンパートメントの制御出力
429  圧力センサ機構
430a  制御可能な弁
430b  制御可能な弁
432  シール
432'  シール部材
521  電子クロック
530  コンバータユニット
719(b)  ワイヤレス受信ユニット
719(d)  ワイヤレス受信ユニット
723  電子記憶装置
724  隙間
725  収集ユニット
726  電源ユニット
727  監視ユニット
728  コンパートメント
729  圧力センサ機構
730  ガスボンベ式スプレーデバイス1aの上部分
732  シール
824  隙間
827  監視ユニット
832  制御される弁
833  保持コンパートメント
834  出力ラインの弁
835  流れ連絡ライン
923  保持ユニット
925  収集ユニット
927  監視ユニット
1027  監視ユニット
1028  放射源
1029  放射線受信器
1030  情報を収集して保持するユニット
1127  監視ユニット
1128  温度センサ機構
1130  保持ユニット
1201  デバイス
1201a  デバイス
1203  コンベヤ
1205a  取付け領域
1209  コンベヤ
1210  コンベヤ
1211a  取外し領域
1227  監視ユニット
1252  結線接続
1256  出力矢印
1301  デバイス
1303  コンベヤ
1305a  取付け領域
1310  コントローラユニット
1327  監視ユニット
1354  充電ユニット
1354a  誘導ループ
1367  収集ユニット
1372  領域
1374  据置き型の受信および評価のユニット
1380  選択ユニット
1382  ワイヤレス受信ユニット
1456  電源ユニット
1460  再充電可能な電池またはキャパシタの機構
1462  受信器コイル
1464  ワイヤレス伝送ユニット
1468  電子記憶ユニット
1502  噴霧弁機構
1504  シール面
1505  絶対圧センサ
1515  隙間
1527  プリント基板
I  情報
Q  サンプリングスイッチ
Q1  スイッチ
Q2  スイッチ
Q3  スイッチ
R(SM)  結果
S  スイッチ
SA/B  制御信号
SCi  制御信号
SCo  制御信号
SM  マーキング信号
SP  電力信号
【図１】
2016517954.tif 000003
【図２】
2016517954.tif 000004
【図３】
2016517954.tif 000005
【図４】
2016517954.tif 000006
【図５】
2016517954.tif 000007
【図６】
2016517954.tif 000008
【図７】
2016517954.tif 000009
【図８】
2016517954.tif 000010
【図９】
2016517954.tif 000011
【図１０】
2016517954.tif 000012
【図１１】
2016517954.tif 000013
【図１２】
2016517954.tif 000014
【図１３】
2016517954.tif 000015
【図１４】
2016517954.tif 000016
【図１５】
2016517954.tif 000017
【図１６】
2016517954.tif 000018
【図１７】
2016517954.tif 000019
【図１８】
2016517954.tif 000020
【図１９】
2016517954.tif 000021
【図２０】
2016517954.tif 000022
【国際調査報告】
2016517954.tif 000023
2016517954.tif 000024